(57)【要約】【課題】  カードとカードパックとを対応づけて収納することができるカード等収納ケースを提供する。【解決手段】基板５，７に対して枠体１３及び１５を設ける。枠体１３及び１５には、カードゲーム等に用いる１枚以上のカードを収納するカード収納部１９とカードが封入されたカードパックまたはカードが封入されていないカードパックが収納されるカードパックを収納するカードパック収納部２１とを隣接して設ける。枠体１３及び１５に対して、透明な一体成形の蓋部材３１及び３３を嵌める。【選択図】図１
2006187329.tif 000002
【特許請求の範囲】
【請求項１】
カードゲーム等に用いる１枚以上のカードを収納するカード収納部を有する枠体を備え
たカード等収納ケースであって、
前記カード収納部は一方向に向かって開口するカード挿入用開口部及び該カード挿入用開口部に連続して形成されて前記１枚以上のカードが収納されるカード収納室を有し、
前記枠体は、カードが封入されたカードパックまたはカードが封入されていないカードパックが収納されるカードパック収納部を前記カード収納部に隣接して備えており、
前記カードパック収納部は、前記一方向に向かって開口するカードパック挿入用開口部及び該カードパック挿入用開口部に連続して形成されて前記カードパックが収納されるカードパック収納室を有することを特徴とするカード等収納ケース。
【請求項２】
基板と、前記基板に対して設けられてカードゲーム等に用いる１枚以上のカードを収納するカード収納部を有する枠体とを備えたカード等収納ケースであって、、
前記カード収納部が、前記基板と対向する位置にカード挿入用開口部と該カード挿入用開口部に連続して形成されて前記１枚以上のカードが収納されるカード収納室とを有し、
前記枠体は、カードが封入されたカードパックまたはカードが封入されていないカードパックが収納されるカードパック収納部を前記カード収納部に隣接して備え、
前記カードパック収納部が、前記基板と対向する位置にカードパック挿入用開口部と該カードパック挿入用開口部に連続して形成されて前記カードパックが収納されるカードパック収納室とを有することを特徴とするカード等収納ケース。
【請求項３】
２枚の基板と、
前記２枚の基板を横に並んだ並列状態と互いに間隔をあけて対向する対向状態とにすることを許容するように前記２枚の基板を連結する基板連結機構と、
前記２枚の基板に対してそれぞれ設けられ、カードゲーム等に用いる１枚以上のカードを収納するカード収納部を備えた２つの枠体とを備え、
前記カード収納部が、前記基板と対向する位置にカード挿入用開口部と該カード挿入用開口部に連続して形成されて前記１枚以上のカードが収納されるカード収納室とを有し、
前記枠体は、カードが封入されたカードパックまたはカードが封入されていないカードパックが収納されるカードパック収納部を前記カード収納部に隣接して備え、
前記カードパック収納部が、前記基板と対向する位置にカードパック挿入用開口部と該カードパック挿入用開口部に連続して形成されて前記カードパックまたはカードパック収納室とを有することを特徴とするカード等収納ケース。
【請求項４】
前記枠体には、複数の前記カード収納部と複数の前記カードパック収納部とがそれぞれ一対一の関係で並ぶように設けられている請求項１，２または３に記載のカード等収納ケース。
【請求項５】
前記複数のカード収納部は直線状のカード収納部列を形成するように配置されており、
前記複数のカードパック収納部は前記カード収納部列と並ぶ直線状のカードパック収納部列を形成するように配置されている請求項４に記載のカード等収納ケース。
【請求項６】
前記複数のカード収納部及び前記複数のカードパック収納部は、それぞれ互い違いに交互に並ぶように配置されている請求項４に記載のカード等収納ケース。
【請求項７】
前記カード収納室を囲む前記カード収納部の内壁部には、前記カード挿入用開口部及び前記カード収納室とそれぞれ連続して形成された指挿入用凹部が設けられている請求項１，２または３に記載のカード等収納ケース。
【請求項８】
前記カード収納室は複数枚の前記カードを収納可能な深さ寸法を有しており、
前記カードパック収納室は複数組の前記カードパックが収納可能な深さ寸法を有している請求項１，２または３に記載のカード等収納ケース。
【請求項９】
前記カード収納室に収納された前記カード及び前記カードパック収納室に収納された前記カードパックが外部から見えるように前記カード挿入用開口部及び前記カードパック挿入用開口部を塞ぐ蓋部材を備え、
前記蓋部材は前記枠体に対して取り外し可能に取り付けられる構造を有している請求項１，２または３に記載のカード等収納ケース。
【請求項１０】
前記蓋部材には係合部が設けられ、
前記枠体には前記係合部と係合する被係合部が設けられ、
前記蓋部材は、前記係合部を前記被係合部に係合させた状態で、前記枠体に取り付けられている請求項９に記載のカード等収納ケース。
【請求項１１】
前記係合部と前記被係合部とは、前記蓋部材を前記枠体と対向する位置から前記枠体に向かって近づけることにより、前記係合部と前記被係合部とが係合状態になる機構をそれぞれ有している請求項１０に記載のカード等収納ケース。
【請求項１２】
前記蓋部材は、前記蓋部材を前記枠体から取り外す際に、前記係合部と前記被係合部との係合状態を、前記蓋部材を変形させることにより解除することを可能にする可撓性を有している請求項１１に記載のカード等収納ケース。
【請求項１３】
前記蓋部材は、前記枠体に取り付けられた状態で、前記カード挿入用開口部及び前記カードパック挿入用開口部と対向する対向壁部と、該対向壁部の周縁部と連続し且つ前記枠体の枠体周壁部の外周面と対向する蓋部材周壁部とから構成された、合成樹脂製の一体成型品である請求項９乃至１２のいずれか１項に記載のカード等収納ケース。
【請求項１４】
前記一体成型品は、少なくとも前記カード挿入用開口部及び前記カードパック挿入用開口部と対向する複数の部分が透明または半透明である請求項１３に記載のカード等収納ケース。
【請求項１５】
前記対向する複数の部分は、前記蓋部材が前記枠体に取り付けられた状態で、前記カード収納室または前記カードパック収納室内に嵌り込むように膨出した形状を有している請求項１４に記載のカード等収納ケース。
【請求項１６】
前記枠体の前記枠体周壁部の輪郭形状は、ほぼ矩形状を呈しており、
前記蓋部材周壁部は、前記枠体を間に挟んで対向する２組の一対の周壁構成部によって構成され、
１組の前記一対の周壁構成部には、それぞれ前記係合部の一部を構成する１以上の係合用凸部が一体に設けられ、前記枠体の前記枠体周壁部には前記被係合部の一部を構成し且つ前記１以上の係合用凸部と係合する１以上の被係合用凹部が形成されている請求項１３に記載のカード等収納ケース。
【請求項１７】
１つの前記周壁構成部には周方向に距離を離して２つの前記係合用凸部が設けられ、
前記１つの周壁構成部と対向する前記枠体周壁部の周壁部分には、前記２つの係合用凸部が嵌合する２つの前記被係合用凹部が周方向に距離を離して設けられている請求項１６に記載のカード等収納ケース。
【請求項１８】
前記係合用凸部の外面の形状は、前記外面が前記枠体周壁部の外周面上をスライドしながら前記被係合用凹部内にスムーズに入り込むことを可能にする湾曲面を含んで構成されている請求項１６に記載のカード等収納ケース。
【請求項１９】
前記蓋部材は、前記蓋部材周壁部と連続し且つ前記基板に沿って外側に延びるフランジ部を一体に有している請求項１３に記載のカード等収納ケース。
【請求項２０】
前記連結機構部は、前記蓋部材が前記枠体に取り付けられた状態で前記２枚の基板を前記対向状態にしたときに、２つの前記枠体に取り付けられた前記蓋部材の前記対向壁部どうしが接触し且つ前記２枚の基板がほぼ平行に並ぶように構成されている請求項９に記載のカード等収納ケース。
【請求項２１】
前記２枚の基板が前記対向状態にあるときに、前記２枚の基板が離れるのを選択的に阻止する基板分離阻止機構を更に備えている請求項３に記載のカード等収納ケース。
【請求項２２】
前記基板分離阻止機構は、前記２枚の基板の一方に一端が連結され且つ前記２枚の基板の他方の裏面側まで延びる長さを有するベルト部材と、前記ベルト部材の他端に設けられた結合部材と、前記２枚の基板の他方に設けられて前記ベルト部材の前記結合部材と分離可能に結合する被結合部材とからなる請求項２１に記載のカード等収納ケース。
【請求項２３】
前記基板分離阻止機構は、前記結合部材及び前記被結合部材が、永久磁石の磁力を結合力として結合するように構成されている請求項２２に記載のカード等収納ケース。
【請求項２４】
２枚の基板と、
前記２枚の基板を横に並んだ並列状態と互いに間隔をあけて対向する対向状態とにすることを許容するように前記２枚の基板を連結する基板連結機構と、
前記２枚の基板の一方の基板に対して設けられ、カードゲーム等に用いる１枚以上のカードを収納するカード収納部を備えた枠体とを備え、
前記カード収納部が、前記一方の基板と対向する位置にカード挿入用開口部と該カード挿入用開口部に連続して形成されて前記１枚以上のカードが収納されるカード収納室とを有するカード等収納ケースであって、
前記枠体は、前記カード収納部に隣接して複数枚のカードが封入されたカードパックまたは前記複数枚のカードが封入されていないカードパックが収納されるカードパック収納部を備え、
前記カードパック収納部が、前記一方の基板と対向する位置にカードパック挿入用開口部と該カードパック挿入用開口部に連続して形成されて前記カードパックが収納されるカードパック収納室とを有することを特徴とするカード等収納ケース。
【請求項２５】
１枚の基板と、前記１枚の基板に対して設けられてカードゲーム等に用いる１枚以上のカードを収納する複数のカード収納部を有する複数の枠体とを備え、
前記カード収納部が、前記基板と対向する位置にカード挿入用開口部と該カード挿入用開口部に連続して形成されて前記１枚以上のカードが収納されるカード収納室とを有するカード等収納ケースであって、
前記枠体は、前記複数枚のカード収納部に隣接して複数枚のカードが封入されたカードパックまたは前記複数枚のカードが封入されていないカードパックが収納される複数のカードパック収納部を備え、
前記カードパック収納部が、前記基板と対向する位置にカードパック挿入用開口部と該カードパック挿入用開口部に連続して形成されて前記カードパックが収納されるカードパック収納室とを有することを特徴とするカード等収納ケース。
【発明の詳細な説明】
【技術分野】
【０００１】
本発明は、カードゲーム等で使用されるカードとカードパックとを一緒に収納できるカード等収納ケースに関するものである。
【背景技術】
【０００２】
特開２００１−２７０５８４号公報［特許文献１］には、複数のカード収納ポケットを備えた透明なカード収納シートを複数枚重ねて綴じて本の形態にしたカード収納ケースが示されている。
【０００３】
また実用新案登録第３０９９８６２号公報［特許文献２］には、複数枚のカードを収納する複数のカード収納室を備えた枠体が基板上に取り付けられたカード収納ケースが示されている。
【０００４】
特開２００１−８０２３９号公報［特許文献３］には、複数枚のカードが袋に収納されてなる複数のカードパックを収納する複数のカードパック収納室を備えたカードパック収納ケースが示されている。
【０００５】
さらに特開２００２−２８４５号公報［特許文献４］には、複数のカードパックを重ねて収納し且つ外側から見えるようにしたトレーディングカード用収納体が示されている。
【特許文献１】特開２００１−２７０５８４号公報  図１
【特許文献２】実用新案登録第３０９９８６２号公報  図１及び図２
【特許文献３】特開２００１−８０２３９号公報  図２及び図３
【特許文献４】特開２００２−２８４５号公報  図１
【発明の開示】
【発明が解決しようとする課題】
【０００６】
従来提案されているカード等収納ケースは、カードを整理する目的のためにカードを一枚ずつ収納するカード収納タイプか、カードパックを傷つけないようにして販売する目的や販売店におけるカードパックの盗難防止の目的のために、カードパックを収納するパック収納タイプのいずれかであった。そのため従来は、カード及びカードパックをそれぞれ別個の収納ケースに収納するしかなかった。そのため収集または整理してあるカードとカードパックとの対応関係が判らなくなる問題があった。
【０００７】
本発明の目的は、カードとカードパックとを対応づけて収納することができるカード等収納ケースを提供することにある。
【０００８】
本発明の他の目的は、カード及びカードパックの収納量が多いカード等収納ケースを提供することにある。
【０００９】
本発明の他の目的は、カード及びカードパックの出し入れが容易でしかもこれらの飛び出しを防止できる機能を備えたカード等収納ケースを提供することにある。
【００１０】
本発明の更に他の目的は、飛び出し防止のための蓋部材の取り付けが容易なカード等収納ケースを提供することにある。
【００１１】
本発明の更に他の目的は、飛び出し防止のための蓋部材の取り外しが容易なカード等収納ケースを提供することにある。
【００１２】
本発明の他の目的は、蓋部材と枠体との係合を簡単に行え且つ簡単に解除できるカード等収納ケースを提供することにある。
【００１３】
本発明の他の目的は、蓋部材と枠体とを簡単な機構でしかもしっかりと係合させることができるカード等収納ケースを提供することにある。
【００１４】
本発明の他の目的は、蓋部材を枠体に取り付けた後にカードまたはカードパックが蓋部材と枠体との間に挟まれる位置まで移動するのを阻止することができるカード等収納ケースを提供することにある。
【００１５】
本発明の別の目的は、カードとカードパックの両方を収納状態で見ることができるカード等収納ケースを提供することにある。
【００１６】
本発明の別の目的は、バインダまたはブック状に構成したカード等収納ケースを提供することにある。
【００１７】
本発明の他の目的は、容易に開くことがないバインダまたはブック状に構成したカード等収納ケースを提供することにある。
【課題を解決するための手段】
【００１８】
本発明のカード等収納ケースは、カードゲーム等に用いる１枚以上のカードを収納するカード収納部を有する枠体を備えている。カード収納部は、一方向に向かって開口するカード挿入用開口部及び該カード挿入用開口部に連続して形成されて１枚以上のカードが収納されるカード収納室を有する。そして枠体は、カードが封入されたカードパックまたはカードが封入されていないカードパックが収納されるカードパック収納部をカード収納部に隣接して備えている。より具体的には、カード等収納ケースは、基板と、基板に対して設けられてカードゲーム等に用いる１枚以上のカードを収納するカード収納部を有する枠体とを備えている。基板は枠体を設けるのに適した強度を有していればよく、その材質及び構造は任意である。また基板と枠体とが一体に成型されていてもよいのは勿論である。カード収納部は、基板と対向する位置にカード挿入用開口部とこのカード挿入用開口部に連続して形成されて１枚以上のカードが収納されるカード収納室とを有する。カード収納部の数は任意であり、またカード収納部の深さは、収納可能なカードの枚数に応じて定めればよい。さらに１枚の基板に対して２以上の枠体を設けてもよいのは勿論である。
【００１９】
本発明のカード等収納ケースは、枠体に、カード収納部に隣接して複数枚のカードが封入されたカードパックまたは複数枚のカードが封入されていないカードパックが収納されるカードパック収納部を備えている。そしてカードパック収納部は、基板と対向する位置にカードパック挿入用開口部とこのカードパック挿入用開口部に連続して形成されてカードパックが収納されるカードパック収納室とを有する。カードパック収納部の深さは、収納可能なカードパックの数に応じて定めればよい。このように枠体にカード収納部とカードカードパック収納部とを隣接して設けると、カード収納部に収納するカードとカードパック収納部に収納するカードパックとを対応付けて一緒に収納することができる。そのため時間が経過しても、カードとカードパックとの対応関係を忘れることがないという利点が得られる。基板と枠体とから構成した本発明のカード等収納ケースを単位として、これを複数重ねたり、または横に並べて保存してもよく、その保存形態は任意である。
【００２０】
持ち運びを考慮して、次のようにカード等収納ケースを構成してもよい。２枚の基板と、２枚の基板を横に並んだ並列状態と互いに間隔をあけて対向する対向状態とにすることを許容するように２枚の基板を連結する基板連結機構と、２枚の基板に対してそれぞれ設けられ、カードゲーム等に用いる１枚以上のカードを収納するカード収納部を備えた２つの枠体とを備えた構造とする。この場合のカード収納部の構造は、前記と同様である。また枠体には、カード収納部に隣接してカードが封入されたカードパックまたはカードが封入されていないカードパックが収納されるカードパック収納部を設ける。このカードパック収納部の構造も前記と同様である。また２枚の基板の一方にのみ枠体を設けて、他方の基板には枠体を設けないようにしてもよい。このように２つの基板を基板連結機構により連結して２枚の基板を対向状態にできるようにすると、バインダまたはブック状にカード等収納ケースを構成することができる。
【００２１】
形態をバインダまたはブック状にする場合でも、またしない場合でも、枠体には、複数のカード収納部と複数のカードパック収納部とをそれぞれ一対一の関係で並ぶように設けるのが好ましい。ここで一対一の関係とは、明確に対応関係が判ればよく、例えば１つのカード収納部の上または下に対応する１つのカードパック収納部を並べる、または１つのカード収納部の横（右横または左横）に対応する１つのカードパック収納部を並べる、さらには１つのカードパック収納部の斜め下または斜め上に対応する１つのカードパック収納部を並べる等するのが好ましい。このようにするとカードとカードパックとの対応関係をより明確なものとすることができる。なお、複数のカード収納部を直線状のカード収納部列を形成するように配置し、複数のカードパック収納部を直線状のカード収納部列と並ぶ１本のカードパック収納部列を形成するように配置してもよい。このようにすると枠体に無駄なスペースを設ける必要がなくなって、枠体の寸法（カード等収納ケースの寸法）を極力小さいものとすることができる。なお複数のカード収納部及び複数のカードパック収納部を、互い違いに交互に並ぶように配置してもよい。このようにした場合でも、複数のカード収納部と複数のカードパック収納部とをそれぞれ一対一の関係で並ぶように設けることは可能である。
【００２２】
またカードは厚みが薄いため、カード収納室からカードを取り出し難い問題がある。そこでカード収納部のカード収納室を囲む内壁部に、カード挿入用開口部及びカード収納室とそれぞれ連続して形成された指挿入用凹部を設けるのが好ましい。このような指挿入用凹部を設ければ、厚みの薄いカードを容易にカード収納室から取り出すことができる。
【００２３】
カード収納室及びカードパック収納室の深さは任意である。収納容量を増大させるためには、カード収納室の深さ寸法を複数枚のカードを収納可能な寸法とし、カードパック収納室の深さ寸法を複数組のカードパックが収納可能な寸法にしてもよい。
【００２４】
また本発明のカード等収納ケースにおいて、カード収納室に収納されたカード及びカードパック収納室に収納されたカードパックが外部から見えるようにカード挿入用開口部及びカードパック挿入用開口部を塞ぐ蓋部材を設けると、収納後にカード及びカードパックを確認できる上、カード等収納ケースをどのような姿勢にしたとしても、収納したカード及びカードパックが枠体から飛び出すのを蓋部材が阻止することができる。したがってカード等収納ケースの取り扱いが容易になる。
【００２５】
なお蓋部材を設ける場合は、蓋部材を枠体に対して取り外し可能に取り付ける機構を設けるのが好ましい。蓋部材を枠体から取り外すことができると、カード及びカードパックの挿入及び取り出しの際に、蓋部材が邪魔になることがなく、スムーズにカード等の挿入及び取り出しを行うことができる。
【００２６】
蓋部材を枠体に対して取り外し可能に取り付ける機構は、任意である。例えば、蓋部材に係合部を設け、枠体に係合部と係合する被係合部を設ける。そして係合部を被係合部に係合させた状態で、蓋部材を枠体に取り付けるようにしてもよい。このような構造を採用すると、係合部と被係合部との係合作業及び係合解除作業だけで、蓋部材を枠体に取り付けることができ、また蓋部材を枠体から取り外すことができる。
【００２７】
なお係合部と被係合部とは、蓋部材を枠体と対向する位置から枠体に向かって近づけることにより、係合部と被係合部とが係合状態になる構造をそれぞれ有しているのが好ましい。このような構造にすると、蓋部材を枠体に直線的に近づけるまたは蓋部材を枠体から直線的に引き離すという作業により、蓋部材を枠体に装着しまた蓋部材を枠体から取りはずことができる。したがって蓋部材の枠体に対する取り付け作業が容易になる。
【００２８】
蓋部材の材質は任意である。例えば、蓋部材を枠体から取り外す際に、係合部と被係合部との係合状態を蓋部材を変形させることにより解除することを可能にする可撓性を有する材料で蓋部材を構成すると、係合部と被係合部の係合及び係合解除作業を簡単に行うことができる。
【００２９】
蓋部材の構造は任意である。例えば、枠体に取り付けられた状態で、カード挿入用開口部及びカードパック挿入用開口部と対向する対向壁部と、この対向壁部の周縁部と連続し且つ枠体の枠体周壁部の外周面と対向する蓋部材周壁部とを備えた蓋部材を、合成樹脂製の一体成型品として形成してもよい。このような一体成型品は、大量生産が可能で、コストの引き下げに寄与する。なお蓋部材を枠体に装着した後もカード及びカードパックを外部から見ることができるようにするためには、この一体成型品は、少なくともカード挿入用開口部及び前記カードパック挿入用開口部と対向する複数の部分を透明または半透明にする。
【００３０】
また蓋部材のカード挿入用開口部及びカードパック挿入用開口部と対向する複数の部分は、蓋部材が枠体に取り付けられた状態で、カード収納室またはカードパック収納室内に嵌り込むように膨出した形状を有しているのが好ましい。このような膨出形状を採用すると、カード等収納ケースの搬送中に、蓋部材を下にした状態でカード等収納ケースに振動が加わった場合でも、カード収納室に収納したカード及びカードパック収納室に収納したカードパックが、蓋部材と枠体との間に形成される隙間に入り込むのを阻止することができる。したがってどのような姿勢でもカード等収納ケースを搬送することができるようになり、カード等収納ケースの取り扱いが容易になる。
【００３１】
枠体の枠体周壁部の輪郭形状がほぼ矩形状を呈している場合には、蓋部材周壁部は、枠体を間に挟んで対向する２組の一対の周壁構成部によって構成されることになる。このような場合には、１組の一対の周壁構成部に、それぞれ前記係合部の一部を構成する１以上の係合用凸部を一体に設け、また枠体の枠体周壁部には、前記被係合部の一部を構成し且つ１以上の係合用凸部と係合する１以上の被係合用凹部を形成するのが好ましい。係合部と被係合部をこのように設けると、簡単な一体成型構造で蓋部材を形成した場合であっても、蓋部材を枠体に対して簡単に外れないように取り付けることができる。
【００３２】
なお１つの周壁構成部には周方向に距離を離して２つの係合用凸部を設け、１つの周壁構成部と対向する枠体周壁部の周壁部分には、２つの係合用凸部が嵌合する２つの被係合用凹部を周方向に距離を離して設けるのが好ましい。２つの係合用凸部と２つの被係合用凹部が離れた位置で係合すると、蓋部材が大きくなった場合でも、またカードパックの重さが重くなった場合でも、蓋部材を下にした状態でカード等収納ケースを持ち歩いたとしても、蓋部材は簡単に外れることがない。またこのような構造を採用すると、２つの係合用凸部の間にある周壁構成部を指で掴んで枠体から蓋部材を引き離す作業をすることにより、比較的容易に蓋部材を枠体から取りはずことができる。
【００３３】
なお係合用凸部の外面の形状は、その外面が枠体周壁部の外周面上をスライドしながら被係合用凹部内にスムーズに入り込むことを可能にする湾曲面を含むように構成されているのが好ましい。このような構成にすると、蓋部材を枠体に向かって直線的に近づける作業により蓋部材を枠体に装着する際の作業がより容易になる。
【００３４】
なお蓋部材は、蓋部材周壁部と連続し且つ基板に沿って外側に延びるフランジ部を一体に有しているのが好ましい。このようなフランジ部を設けると、蓋部材を枠体から取り外す際に、フランジ部に指先の爪を引っかけることができる。そのため、蓋部材を枠体から取り外す際には、フランジ部に爪を引っかけた状態で蓋部材を枠体から引き離すことができ、蓋部材の取り外し作業が容易になる。
【００３５】
なお前述のバインダまたはブック状にカード等収納ケースを構成する場合には、蓋部材が枠体に取り付けられた状態で２枚の基板を対向状態にしたときに、２つの枠体に取り付けられた蓋部材の対向壁部どうしが接触し且つ２枚の基板がほぼ並行に並ぶように、連結機構部を構成する。このようにすると、バインダまたはブック状にカード等収納ケースを閉じた状態にして保存する際に、厚み方向からカード等収納ケースに外力が加わったとしても、外力は接触した２つの蓋部材と２つの枠体にも分散することになり、連結機構部に加わる外力は小さくなる。その結果、連結機構部が破損しにくくなる。
【００３６】
また２枚の基板が対向状態にあるときに、２枚の基板が離れるのを選択的に阻止する基板分離阻止機構を更に備えているのが好ましい。このような基板分離阻止機構を設けると、２枚の基板が離れるのを有効に阻止することができ、バインダまたはブック状のケース収納ケースの取り扱いが容易になる。
【００３７】
なお基板分離阻止機構は、２枚の基板の一方に一端が連結され且つ２枚の基板の他方の裏面側まで延びる長さを有するベルト部材と、ベルト部材の他端に設けられた結合部材と、２枚の基板の他方に設けられてベルト部材の結合部材と分離可能に結合する被結合部材とから構成することができる。この構成では、二枚の基板をベルト部材を介して結合するため、
簡単な構成でしかも少ない部品点数で基板分離阻止機構を構成することができる。なお基板分離阻止機構は、結合部材及び被結合部材が、永久磁石の磁力を結合力として結合するように構成するのが好ましい。このようにすると結合部材及び被結合部材の構成が簡単になるだけでなく、基板及びベルト部材の構成が簡単になる。
【発明の効果】
【００３８】
本発明によれば、枠体にカード収納部とカードカードパック収納部とを隣接して設けるため、カード収納部に収納するカードとカードパック収納部に収納するカードパックとを対応付けて一緒に収納することができ、時間が経過しても、カードとカードパックとの対応関係を忘れることがないという利点が得られる。また併せてカード収集家の趣向を高めることができるという利点も得られる。
【発明を実施するための最良の形態】
【００３９】
以下図面を参照して本発明の実施の形態の一例を詳細に説明する。図１は、本発明をバインダまたはブック状のカード等収納ケース１に適用した一実施の形態を開いた状態にして分解した斜視図を示している。また図２はこのカード等収納ケース１を閉じた状態を示す斜視図である。更に図３は、このカード等収納ケース１を開いた状態にした正面図である。カード等収納ケース１のケース本体３は、２枚の基板５及び７と、２枚の基板５及び７が横に並んだ並列状態と互いに間隔をあけて対向する対向状態とにすることを許容するように２枚の基板５及び７を連結する基板連結機構９と、後に説明する基板分離阻止機構の一部を構成するベルト部材１１と、２つの枠体１３及び１５とから構成されている。本実施の形態では、２枚の基板５及び７と基板連結機構９とは、一体に構成されている。これらの部材は、いわゆるバインダまたはブックの表紙と同様の構造を有しており、基板連結機構９は、２本の折り目９Ａ及び９Ｂを介して２枚の基板５及び７と連結されている。
【００４０】
２つの枠体１３及び１５は、合成樹脂の一体成型品または紙基材の一体加工品により構成されている。なお２つの枠体１３及び１５の外表面を、手触り感と高級感を出すために、表面加工を施したり、多少毛足のある布状のシートで覆ったりしてもよいのは勿論である。枠体１３及び１５は、２枚の基板５及び７に対してそれぞれ接着剤を介して接合されている。枠体１３及び１５は、それぞれ１枚以上のカードを収納する３つのカード収納部１９と３つのカードパック収納部２１とを一体に有している。図３乃至図６に示すように、これらカード収納部１９及びカードパック収納部２１の底壁部１９Ｃ及び２１Ｃは、基板５及び７に接着剤で接合されている。カード収納部１９は、基板５または７と対向する位置にカード挿入用開口部１９Ａとこのカード挿入用開口部１９Ａに連続して形成されて１枚以上のカードＣが収納されるカード収納室１９Ｂとを有する。またカードパック収納部２１も、基板５または７と対向する位置にカードパック挿入用開口部２１Ａとこのカードパック挿入用開口部１９Ａに連続して形成されて１以上のカードパックＰが収納されるカード収納室２１Ｂとを有する。カードＣに比べて、カードパックＰの長さ及び幅寸法は長いため、カードパック収納部１９の各部の寸法は、カード収納部２１の各部の寸法よりも大きく設定されている。
【００４１】
枠体１３及び１５は、枠体周壁部１３Ａ及び１５Ａと天板壁部１３Ｂ及び１５Ｂとを備えている。枠体周壁部１３Ａ及び１５Ａは、その輪郭形状がほぼ矩形状を呈する構造を有している。そして枠体周壁部１３Ａ及び１５Ａは、枠体を間に挟んで対向する２組の一対の周壁構成部１３Ｃ及び１３Ｄ並びに１３Ｅ及び１３Ｆと１５Ｃ及び１５Ｄ並びに１５Ｅ及び１５Ｆとを備えている。そして図４〜図６に示すように、枠体周壁部１３Ａ及び１５Ａの縁部には、基板５及び７に接合される環状のフランジ部１３Ｇ及び１５Ｇが一体に設けられている。このフランジ部１３Ｇ及び１５Ｇも接着剤を用いて基板５及び７に接合されている。
【００４２】
枠体１３及び１５の一対の周壁構成部１３Ｅ及び１３Ｆ並びに１５Ｅ及び１５Ｆには、後述する被係合部の一部を構成し且つ後述する蓋部材  に設けた２つの係合用凸部と係合する２つの被係合用凹部２３及び２３並びに２５及び２５が形成されている。これら２つの被係合用凹部２３及び２３並びに２５及び２５の開口部は、細長い楕円形状または両端に円弧を有する細長い長方形形状を有している。
【００４３】
それぞれ図１に示した位置関係では、３つのカード収納部１９と３つのカードパック収納部２１とが、一対一の関係で上下に並ぶように設けられている。また図１に示された関係では、３つのカード収納部１９及び３つのカードパック収納部２１が、それぞれ横に直線状に列を構成している。なお図１に示した状態を９０度回転させて見る場合には、３つのカード収納部１９と３つのカードパック収納部２１とは、一対一の関係で左右に並ぶように設けられており、３つのカード収納部１９及び３つのカードパック収納部２１は、それぞれ縦に直線状に列を構成することになる。
【００４４】
また本実施の形態では、カードＣの厚みが薄いため、カード収納部１９の深さが深くなると、カードＣをカード収納室１９Ｂから取り出し難くなる。そこでこの問題を解消するために、本実施の形態では、図５に示すように、カード収納部２１のカード収納室１９Ｂを囲む内壁部に、カード挿入用開口部１９Ａ及びカード収納室１９Ｂとそれぞれ連続して形成された指挿入用凹部２０を設けている。このような指挿入用凹部２０を設ければ、厚みの薄いカードを容易にカード収納室１９Ｂから取り出すことができる。
【００４５】
なお上記のように、カード収納室１９Ｂ及びカードパック収納室２１Ｂの深さは任意である。収納容量を増大させるためには、カード収納室１９Ｂの深さ寸法を複数枚のカードを収納可能な寸法とし、カードパック収納室２１Ｂの深さ寸法を複数組のカードパックが収納可能な寸法にしてもよい。
【００４６】
ベルト部材１１は、基板５に一端が連結され且つ基板７の裏面７ａ（枠体１５が設けられる面とは反対側の面）側まで延びる長さを有している。ベルト部材１１の他端には、永久磁石からなる結合部材２７が設けられている。また基板７の裏面７ａに近接した内部には、ベルト部材１１の結合部材２７と分離可能に結合する磁性体または永久磁石からなる被結合部材２９が埋設されている。本実施の形態では、結合部材２７と被結合部材２９とにより、永久磁石の磁力を結合力として結合する基板分離阻止機構が構成されている。
【００４７】
本実施の形態では、枠体１３及び１５に対して、合成樹脂により一体に成型された一体成型品の透明な蓋部材３１及び３３が嵌められる。なお蓋部材３１及び３３は半透明であってもよく、また一部が半透明または不透明でカード挿入用開口部１９Ａ及びカードパック挿入用開口部２１Ａと対向する一部が透明であってもよい。この蓋部材３１及び３３は、カード収納室１９Ｂに収納されたカードＣ及びカードパック収納室２１Ｂに収納されたカードパックＰが外部から見えるようにカード挿入用開口部１９Ａ及びカードパック挿入用開口部２１Ａを塞ぐ目的で設けられている。このような蓋部材３１及び３３を設けると、収納後にカードＣ及びカードパックＰを確認できる上、カード等収納ケース１をどのような姿勢にしたとしても、収納したカードＣ及びカードパックＰが枠体１３及び１５から飛び出すのを蓋部材３１及び３３によって阻止することができる。
【００４８】
蓋部材３１及び３３は、枠体１３及び１５に取り付けられた状態で、カード挿入用開口部１９Ａ及びカードパック挿入用開口部２１Ａと対向する対向壁部３１Ａ及び３３Ａと、この対向壁部３１Ａ及び３３Ａの周縁部と連続し且つ枠体１３及び１５の枠体周壁部１３Ａ及び１５Ａの外周面と対向する蓋部材周壁部３１Ｂ及び３３Ｂとを備えている。蓋部材３１及び３３のカード挿入用開口部１９Ａ及びカードパック挿入用開口部２１Ａと対向する複数の部分３２及び３４は、蓋部材３１及び３３が枠体１３及び１５に取り付けられた状態で、カード収納室１９Ｂまたはカードパック収納室内２１Ｂに嵌り込むように膨出した形状を有している。このような膨出形状を採用すると、カード等収納ケース１の搬送中に、蓋部材３１及び３３を下にした状態でカード等収納ケース１に振動が加わった場合でも、カード収納室１９Ｂに収納したカードＣ及びカードパック収納室２１Ｂに収納しカードパックＰが、蓋部材３１及び３３と枠体１３及び１５との間に形成される隙間に入り込むのを阻止することができる。したがってどのような姿勢でもカード等収納ケース１を搬送することができるようになる。
【００４９】
蓋部材３１及び３３は、枠体１３及び１５に対して取り外し可能に取り付けられる構造を有している。蓋部材３１及び３３を枠体１３及び１５に対して取り外し可能に取り付ける機構は、任意である。本実施の形態のように枠体１３及び１５の枠体周壁部１３Ａ及び１５Ａの輪郭形状がほぼ矩形状を呈しているので、蓋部材周壁部３１Ｂ及び３３Ｂは、枠体１３及び１５を間に挟んで対向する２組の一対の周壁構成部（３１Ｃ及び３１Ｄと３１Ｅ及び３１Ｆ；３３Ｃ及び３３Ｄと３３Ｅ及び３３Ｆ）によって構成されることになる。そして１組の一対の周壁構成部３１Ｅ及び３１Ｆ並びに３３Ｅ及び３３Ｆには、それぞれ係合部のを構成する２つの係合用凸部３５及び３７が一体に設けられている。１つの周壁構成部に対して、２つの係合用凸部（３５及び３５並びに３７及び３７）が蓋部材周壁部（３１Ｂ及び３３Ｂ）の周方向に距離をあけて設けられている。そしてこれらの係合用凸部３５及び３７は、図４及び図６に示すように蓋部材周壁部３１Ｂ及び３３Ｂから内側に向かって突出しており、それぞれ枠体１３及び１５に設けた被係合用凹部２３及び２５と嵌合する。２つの係合用凸部（３５及び３７）と２つの被係合用凹部（２３及び２５）が離れた位置で係合すると、蓋部材３１及び３３が大きくなった場合でも、またカードパックＰの重さが重くなった場合に、蓋部材３１及び３３を下にした状態でカード等収納ケース１を持ち歩いたとしても、蓋部材３３及び３３は簡単に外れることがない。また２つの係合用凸部３５及び３５並びに３７及び３７の間にある周壁構成部を指で掴んで枠体１３及び１５から蓋部材３１及び３３を引き離す作業をすることにより、比較的に容易に蓋部材３１及び３３を枠体１３及び１５から取り外すことができる。係合用凸部３５及び３７の外面の形状は、その外面が枠体周壁部１３Ａ及び１５Ａの外周面上をスライドしながら被係合用凹部２３及び２５内にスムーズに入り込むことを可能にする湾曲面を含むように構成されている。
【００５０】
また蓋部材３１及び３３は、蓋部材周壁部３１Ｂ及び３３Ｂと連続し且つ基板５及び７に沿って外側に延びるフランジ部３１Ｇ及び３３Ｇを一体に有している。このようなフランジ部３１Ｇ及び３３Ｇを設けると、蓋部材３１及び３３を枠体１３及び１５から取り外す際に、フランジ部３１Ｇ及び３３Ｇに指先の爪を引っかけることができる。そのため、蓋部材３１及び３３を枠体１３及び１５から取り外す際には、フランジ部３１Ｇ及び３３Ｇに爪を引っかけた状態で蓋部材３１及び３３を枠体から引き離すことができる。
【００５１】
本実施の形態では、前述の係合機構を採用することにより、係合部（３５，３７）と被係合部（２３，２５）との係合作業及び係合解除作業だけで、蓋部材３１及び３３を枠体１３及び１５に取り付けることができ、また蓋部材を枠体から取り外すことができる。特に本実施の形態では、係合部（３５，３７）と被係合部（２３、２５）とは、蓋部材３１及び３３を枠体１３及び１５と対向する位置から枠体１３及び１５に向かって近づけることにより、係合部（３５，３７）と被係合部（２３、２５）とが係合状態になる構造を有しているので、蓋部材３１及び３３を枠体１３及び１５に直線的に近づけるまたは蓋部材３１及び３３を枠体１３および１５から直線的に引き離すという作業により、蓋部材３１及び３３を枠体１３及び１５に装着しまた蓋部材３１及び３３を枠体１３及び１５から取り外すことができる。したがって蓋部材の枠体に対する取り付け作業が容易になる。
【００５２】
なお本実施の形態では、蓋部材３１及び３３を枠体１３及び１５から取り外す際に、係合部（３５，３７）と被係合部（２３、２５）との係合状態を蓋部材３１及び３３を変形させることにより解除することを可能にするために、蓋部材３１及び３３を可撓性を有する合成樹脂材料（例えばポリプロピレン等）により一体に成型している。
【００５３】
また本実施の形態のバインダまたはブック状のカード等収納ケース１では、蓋部材３１及び３３が枠体１３及び１５に取り付けられた状態で２枚の基板５及び７を対向状態にしたときに、２つの枠体１３及び１５に取り付けられた蓋部材３１及び３３の対向壁部３１Ａ及び３３Ａどうしが接触し且つ２枚の基板５及び７がほぼ並行に並ぶように、連結機構部９を構成してある。したがって図２に示すように、バインダまたはブック状にカード等収納ケースを閉じた状態にして保存する際に、厚み方向からカード等収納ケース１に外力が加わったとしても、外力は接触した２つの蓋部材３１及び３３と２つの枠体１３及び１５にも分散することになり、連結機構部９に加わる外力は小さくなる。その結果、連結機構部９が破損しにくくなっている。
【００５４】
なお図１においては、カード収納部１９及びカードパック収納部２１のすべてにカードＣ及びカードパックＰが収納されていない。しかしこのカード等収納ケース１をカード商品の販売のためのカード商品セット（カード等収納ケースにカードとカードパックとが付いた状態で販売される商品）に使用する場合には、すべてのカード収納部１９及びカードパック収納部２１にカードＣとカードパックＰを収納してもよいのは勿論である。またその場合に、カード収納部１９及びカードパック収納部２１に、それぞれ複数枚のカードＣと複数のカードパックＰを収納してもよい。
【００５５】
カード商品セットの一部としてカード等収納ケースを利用する場合には、カード収納部１９に収納するカードとカードパック収納部２１に収納するカードパックとの間には、何らかの関係を持たせるのが好ましい。例えば、カード収納部１９に収納されたカードＣを、カードゲームに用いることが可能な複数枚のカードの中で存在率が最も小さいグループに属するカードにする。ここで存在率が最も小さいグループとは、カードゲームに使用可能な複数枚のカードが、それぞれ複数種類のグループに分けられる場合に、最も枚数が少ないカードによって構成されるグループのことである。存在率が最も小さいグループに属するカードは、ある意味で貴重なカードまたは重要なカードになる。言い換えると、そのようなカードは購買者にとって、最も関心の高いカードである。外部から見えるカードとしてこのようなカードを選択すると、購買者の注目を集めやすく、また購買者の購買意欲を高めることができる。
【００５６】
またカード収納部１９に収納されるカードＣを、カードパック収納部２１に収納されたカードパック内の複数枚のカードが属する種類と同じ種類に属するものにしてもよい。このようにするとカードパックに収納されているカードの内容（種類）を一部知ることができるので、購買者の期待を裏切ることがなく、しかも購買者の購買意欲も高くなる利点が得られる。またこの場合でも、カード収納部１９に収納されたカードを、カードパック収納部２１に収納されたカードパックＰ内の複数枚のカードが属する種類に分類される多数枚のカードの中で存在率が最も小さいグループに属するカードにすると、前述と同様に購買者の注目を集めやすくなり、また購買者の購買意欲を高めることができる。
【００５７】
上記実施の形態では、ベルト部材１１を設けているが、図７に示すように、ベルト部材を設けなくてもよいのは勿論である。この場合には、リング状のゴムベルト等を用いて、閉じた基板５及び７が離れないようにしてもよい。また２つの枠体１３及び１５にそれぞれ互いに引き合う関係の永久磁石を内蔵させ、これらの永久磁石の磁気吸引力により枠体１３及び１５が離れないようにしてもよい。図８（Ａ）乃至（Ｆ）は、図７に示したカード等収納ケースにおいて、蓋部材３１及び３３を設けないで使用する場合の平面図、正面図、底面図、左側面図、右側面図及び背面図である。また図９（Ａ）は、蓋部材を設けない場合において、２枚の基板を開いた状態のカード等収納ケースの斜視図であり、図９（Ｂ）は、一方の基板を他方の基板と対向する対向状態にする途中の状態を示す斜視図である。そして図１０は、蓋部材を用いないカード等収納ケースを閉じた状態を示す斜視図である。
【００５８】
また図１１に示すように、カード収納部１１９とカードパック収納部１２１とを交互に配置するようにしてもよい。この場合には、カード収納部１１９及びカードパック収納部１２１と対向する蓋部材１３１及び１３３の部分（窓部分）１３２及び１３４の形状もそれぞれ交互に異なる形状となる。なお図１１には、図１に示した実施の形態と同様の部分に、図１に示した実施の形態に付した部号の数に１００の数を加えた数の符号を付して説明を省略する。  図１２（Ａ）乃至（Ｆ）は、図１１に示したカード等収納ケースにおいて、蓋部材１３１及び１３３を設けないで使用するカード等収納ケースの平面図、正面図、底面図、左側面図、右側面図及び背面図である。また図１３（Ａ）は、蓋部材を設けない場合において、２枚の基板を開いた状態のカード等収納ケースの斜視図であり、図１３（Ｂ）は、一方の基板を他方の基板と対向する対向状態にする途中の状態を示す斜視図である。
【００５９】
また図１４（Ａ）乃至（Ｆ）は、図１１に示したカード等収納ケースの構造を応用したベルト部材を設けないで使用するカード等収納ケースの平面図、正面図、底面図、左側面図、右側面図及び背面図である。また図１５（Ａ）は、２枚の基板を開いた状態のこのカード等収納ケースの斜視図であり、図１５（Ｂ）は、一方の基板を他方の基板と対向する対向状態にする途中の状態を示す斜視図である。
【００６０】
また図１６に示すように、１つの枠体２１３及び２１５に設けるカード収納部２１９及びカードパック収納部２２１の数を異ならせてもよい。なお図１６には、図１に示した実施の形態と同様の部分に、図１に示した実施の形態に付した部号の数に２００の数を加えた数の符号を付して説明を省略する。
【００６１】
図１７（Ａ）乃至（Ｆ）は、図１１に示したカード等収納ケースの構造を応用したベルト部材を備えたカード等収納ケースの平面図、正面図、底面図、左側面図、右側面図及び背面図である。また図１８（Ａ）は、２枚の基板を開いた状態のこのカード等収納ケースの斜視図であり、図１８（Ｂ）は、一方の基板を他方の基板と対向する対向状態にする途中の状態を示す斜視図である。
【００６２】
さらに図１９に示すように、ブックタイプに構成する場合には、一方の基板３０５にのみ枠体３１３を取り付けるようにしても良いのは勿論である。なお図１９には、図１に示した実施の形態と同様の部分に、図１に示した実施の形態に付した部号の数に３００の数を加えた数の符号を付して説明を省略する。図２０（Ａ）乃至（Ｆ）は、図１９に示したカード等収納ケースの平面図、正面図、底面図、左側面図、右側面図及び背面図である。また図２１（Ａ）は、２枚の基板を開いた状態のこのカード等収納ケースの斜視図であり、図２１（Ｂ）は、一方の基板を他方の基板と対向する対向状態にする途中の状態を示す斜視図である。そして図２２（Ａ）及び（Ｂ）は、図２０のＡ−Ａ線断面図及びＢ−Ｂ線断面図である。そして図２３は、カード等収納ケースを閉じた状態を示す斜視図である。
【００６３】
また図２４に示すように、一枚の基板４０５上に１つの枠体４１３と蓋部材４３１を設けるユニットタイプのカード等収納ケースにも本発明を適用することができる。このようなユニットタイプのカード等収納ケースでは、本を開く動作をすることなく、収納されているカード及びカードパックを蓋部材４３１の外部から見ることができる。したがって多くのカード商品セットの中から所望のカード商品セットを選択する場合に、短い時間で購買者は所望のカード商品セットを見つけることができる。
【００６４】
またこの場合においても、図２５に示すように、カード収納部５１９とカードパック収納部５２１を交互に配置してもよい。図２６（Ａ）乃至（Ｆ）は、図２５に示したカード等収納ケースの平面図、正面図、底面図、左側面図、右側面図及び背面図である。また図２７（Ａ）は、このカード等収納ケースの斜視図であり、図２７（Ｂ）は、角度を変えて見たこのカード等収納ケースの斜視図である。
【００６５】
さらに図２８及び図２９に示すように、カード収納部６１９及び７１９並びにカードパック収納部６２１及び７２１の数を異ならせてもよい。なお図２８乃至図２９においても、図１に示した実施の形態と同様の部分には、図１に示した実施の形態に付した部号の数に６００または７００の数を加えた数の符号を付して説明を省略する。図３０（Ａ）乃至（Ｆ）は、図２８に示したカード等収納ケースの平面図、正面図、底面図、左側面図、右側面図及び背面図である。また図３１（Ａ）は、このカード等収納ケースの斜視図であり、図３１（Ｂ）は、角度を変えて見たこのカード等収納ケースの斜視図である。また図３２（Ａ）乃至（Ｆ）は、図２９に示したカード等収納ケースの平面図、正面図、底面図、左側面図、右側面図及び背面図である。また図３３（Ａ）は、このカード等収納ケースの斜視図であり、図３３（Ｂ）は、角度を変えて見たこのカード等収納ケースの斜視図である。
【００６６】
上記各実施の形態では、カード収納部に指挿入用凹部を設けているが、図３４及び図３５に示すカード等収納ケースのように、カード収納部に指挿入用凹部を設けなくてもよい。
【００６７】
図３４（Ａ）乃至（Ｆ）は、カード収納部に指挿入用凹部を設けていないカード等収納ケースの平面図、正面図、底面図、左側面図、右側面図及び背面図である。また図３５（Ａ）は、２枚の基板を開いた状態のこのカード等収納ケースの斜視図であり、図３５（Ｂ）は、一方の基板を他方の基板と対向する対向状態にする途中の状態を示す斜視図である。
【００６８】
また図３６は、本発明のカード等収納ケース他の他の実施の形態の斜視図である。この実施の形態では、２枚の基板の縦方向の端部を基板連結機構によって連結している点で図１の実施の形態とは相違する。図３７（Ａ）乃至（Ｅ）は、図３６にカード等収納ケースの平面図、正面図、底面図、左側面図及び右側面図である。また図３８は、図３６のカード等収納ケースの分解斜視図である。
【００６９】
図３９は、一枚の基板の上に２つの枠体を設け、２つの枠体に蓋部材を装着した本発明の他の実施の形態の斜視図を示している。そして図４０（Ａ）乃至（Ｆ）は、図３９に示したカード等収納ケースの平面図、正面図、底面図、左側面図、右側面図及び背面図である。
【００７０】
また上記実施の形態のいくつかでは蓋部材を用いているが、カード等収納ケースを逆さにすることがなければ、蓋部材は必ずしも必要ない。
【図面の簡単な説明】
【００７１】
【図１】本発明をバインダまたはブック状のカード等収納ケースに適用した一実施の形態を開いた状態にして分解した斜視図である。
【図２】図１のカード等収納ケースを閉じた状態を示す斜視図である。
【図３】図１のカード等収納ケースを開いた状態にした正面図である。
【図４】（Ａ）は図３のＡ−Ａ線拡大断面図であり、（Ｂ）は図３のＢ−Ｂ線拡大断面図である。
【図５】図３のＣ−Ｃ拡大端面図である。
【図６】図３のＤ−Ｄ拡大端面図である。
【図７】図１に示したカード等収納ケースの機構を応用したベルト部材を設けないで使用するカード等収納ケースの形態を開いた状態にして分解した斜視図である。
【図８】（Ａ）乃至（Ｆ）は、図７に示したカード等収納ケースにおいて、蓋部材を設けないで使用する場合の平面図、正面図、底面図、左側面図、右側面図及び背面図である。
【図９】（Ａ）は、蓋部材を設けない場合において、２枚の基板を開いた状態のカード等収納ケースの斜視図であり、（Ｂ）は、一方の基板を他方の基板と対向する対向状態にする途中の状態を示す斜視図である。
【図１０】図８の蓋部材を用いないカード等収納ケースを閉じた状態を示す斜視図である。
【図１１】本発明のカード等収納ケースの他の実施の形態の斜視図である。
【図１２】（Ａ）乃至（Ｆ）は、図１１に示したカード等収納ケースにおいて、蓋部材を設けないで使用するカード等収納ケースの平面図、正面図、底面図、左側面図、右側面図及び背面図である。
【図１３】（Ａ）は、蓋部材を設けない場合において、２枚の基板を開いた状態のカード等収納ケースの斜視図であり、（Ｂ）は、一方の基板を他方の基板と対向する対向状態にする途中の状態を示す斜視図である。
【図１４】（Ａ）乃至（Ｆ）は、図１１に示したカード等収納ケースの機構を応用したベルト部材を設けないで使用するカード等収納ケースの平面図、正面図、底面図、左側面図、右側面図及び背面図である。
【図１５】（Ａ）は、２枚の基板を開いた状態のこのカード等収納ケースの斜視図であり、（Ｂ）は、一方の基板を他方の基板と対向する対向状態にする途中の状態を示す斜視図である。
【図１６】本発明のカード等収納ケースの他の実施の形態の構成を示す図である。
【図１７】（Ａ）乃至（Ｆ）は、図１１に示したカード等収納ケースの機構を応用したベルト部材を備えたカード等収納ケースの平面図、正面図、底面図、左側面図、右側面図及び背面図である。
【図１８】（Ａ）は、２枚の基板を開いた状態のこのカード等収納ケースの斜視図であり、（Ｂ）は、一方の基板を他方の基板と対向する対向状態にする途中の状態を示す斜視図である。
【図１９】本発明のカード等収納ケースの他の実施の形態の構成を示す図である。
【図２０】（Ａ）乃至（Ｆ）は、図１９に示したカード等収納ケースの平面図、正面図、底面図、左側面図、右側面図及び背面図である。
【図２１】（Ａ）は図１９の２枚の基板を開いた状態のこのカード等収納ケースの斜視図であり、（Ｂ）は、一方の基板を他方の基板と対向する対向状態にする途中の状態を示す斜視図である。
【図２２】（Ａ）及び（Ｂ）は、図２０のＡ−Ａ線断面図及びＢ−Ｂ線断面図である。
【図２３】カード等収納ケースを閉じた状態を示す斜視図である。
【図２４】一枚の基板上に１つの枠体と蓋部材を設けたユニットタイプのカード等収納ケースに本発明を適用した例を示す図である。
【図２５】カード収納部とカードパック収納部を交互に配置した本発明の他の実施の形態を示す図である。
【図２６】（Ａ）乃至（Ｆ）は、図２５に示したカード等収納ケースの平面図、正面図、底面図、左側面図、右側面図及び背面図である。
【図２７】（Ａ）は図２５のカード等収納ケースの斜視図であり、（Ｂ）は角度を変えて見たこのカード等収納ケースの斜視図である。
【図２８】カード収納部及びカードパック収納部の数を異ならせた例を示す図である。
【図２９】カード収納部及びカードパック収納部の数を異ならせた例を示す図である。
【図３０】（Ａ）乃至（Ｆ）は、図２８に示したカード等収納ケースの平面図、正面図、底面図、左側面図、右側面図及び背面図である。
【図３１】（Ａ）は図２８に示したカード等収納ケースの斜視図であり、（Ｂ）は角度を変えて見たこのカード等収納ケースの斜視図である。
【図３２】（Ａ）乃至（Ｆ）は、図２９に示したカード等収納ケースの平面図、正面図、底面図、左側面図、右側面図及び背面図である。
【図３３】（Ａ）は図２９に示したカード等収納ケースの斜視図であり、（Ｂ）は角度を変えて見たこのカード等収納ケースの斜視図である。
【図３４】（Ａ）乃至（Ｆ）は、カード収納部に指挿入用凹部を設けていないカード等収納ケースの平面図、正面図、底面図、左側面図、右側面図及び背面図である。
【図３５】（Ａ）は２枚の基板を開いた状態のこのカード等収納ケースの斜視図であり、（Ｂ）は一方の基板を他方の基板と対向する対向状態にする途中の状態を示す斜視図である。
【図３６】本発明のカード等収納ケース他の他の実施の形態の斜視図である。
【図３７】（Ａ）乃至（Ｅ）は、図３６にカード等収納ケースの平面図、正面図、底面図、左側面図及び右側面図である。
【図３８】図３６のカード等収納ケースの分解斜視図である。
【図３９】一枚の基板の上に２つの枠体を設け、２つの枠体に蓋部材を装着した別の本発明の他の実施の形態の斜視図を示している。
【図４０】（Ａ）乃至（Ｆ）は、図３９に示したカード等収納ケースの平面図、正面図、底面図、左側面図、右側面図及び背面図である。
【符号の説明】
【００７２】
１  カード等収納ケース
３  ケース本体
５，７  基板
９  基板連結機構
１１  ベルト部材
１３，１５  枠体
１９  カード収納部
２１  カードパック収納部
２３，２５  被係合用凹部（被係合部）
３１，３３  蓋部材
３５，３７  係合用凸部（係合部）
【図１】
2006187329.tif 000003
【図２】
2006187329.tif 000004
【図３】
2006187329.tif 000005
【図４】
2006187329.tif 000006
【図５】
2006187329.tif 000007
【図６】
2006187329.tif 000008
【図７】
2006187329.tif 000009
【図８】
2006187329.tif 000010
【図９】
2006187329.tif 000011
【図１０】
2006187329.tif 000012
【図１１】
2006187329.tif 000013
【図１２】
2006187329.tif 000014
【図１３】
2006187329.tif 000015
【図１４】
2006187329.tif 000016
【図１５】
2006187329.tif 000017
【図１６】
2006187329.tif 000018
【図１７】
2006187329.tif 000019
【図１８】
2006187329.tif 000020
【図１９】
2006187329.tif 000021
【図２０】
2006187329.tif 000022
【図２１】
2006187329.tif 000023
【図２２】
2006187329.tif 000024
【図２３】
2006187329.tif 000025
【図２４】
2006187329.tif 000026
【図２５】
2006187329.tif 000027
【図２６】
2006187329.tif 000028
【図２７】
2006187329.tif 000029
【図２８】
2006187329.tif 000030
【図２９】
2006187329.tif 000031
【図３０】
2006187329.tif 000032
【図３１】
2006187329.tif 000033
【図３２】
2006187329.tif 000034
【図３３】
2006187329.tif 000035
【図３４】
2006187329.tif 000036
【図３５】
2006187329.tif 000037
【図３６】
2006187329.tif 000038
【図３７】
2006187329.tif 000039
【図３８】
2006187329.tif 000040
【図３９】
2006187329.tif 000041
【図４０】
2006187329.tif 000042
【手続補正書】
【提出日】平成17年12月28日(2005.12.28)
【手続補正１】
【補正対象書類名】明細書
【補正対象項目名】全文
【補正方法】変更
【補正の内容】
【発明の詳細な説明】
【技術分野】
【０００１】
本発明は、カードゲーム等で使用されるカードとカードパックとを一緒に収納できるカード等収納ケースに関するものである。
【背景技術】
【０００２】
特開２００１−２７０５８４号公報［特許文献１］には、複数のカード収納ポケットを備えた透明なカード収納シートを複数枚重ねて綴じて本の形態にしたカード収納ケースが示されている。
【０００３】
また実用新案登録第３０９９８６２号公報［特許文献２］には、複数枚のカードを収納する複数のカード収納室を備えた枠体が基板上に取り付けられたカード収納ケースが示されている。
【０００４】
特開２００１−８０２３９号公報［特許文献３］には、複数枚のカードが袋に収納されてなる複数のカードパックを収納する複数のカードパック収納室を備えたカードパック収納ケースが示されている。
【０００５】
さらに特開２００２−２８４５号公報［特許文献４］には、複数のカードパックを重ねて収納し且つ外側から見えるようにしたトレーディングカード用収納体が示されている。
【特許文献１】特開２００１−２７０５８４号公報  図１
【特許文献２】実用新案登録第３０９９８６２号公報  図１及び図２
【特許文献３】特開２００１−８０２３９号公報  図２及び図３
【特許文献４】特開２００２−２８４５号公報  図１
【発明の開示】
【発明が解決しようとする課題】
【０００６】
従来提案されているカード等収納ケースは、カードを整理する目的のためにカードを一枚ずつ収納するカード収納タイプか、カードパックを傷つけないようにして販売する目的や販売店におけるカードパックの盗難防止の目的のために、カードパックを収納するパック収納タイプのいずれかであった。そのため従来は、カード及びカードパックをそれぞれ別個の収納ケースに収納するしかなかった。そのため収集または整理してあるカードとカードパックとの対応関係が判らなくなる問題があった。
【０００７】
本発明の目的は、カードとカードパックとを対応づけて収納することができるカード等収納ケースを提供することにある。
【０００８】
本発明の他の目的は、カード及びカードパックの収納量が多いカード等収納ケースを提供することにある。
【０００９】
本発明の他の目的は、カード及びカードパックの出し入れが容易でしかもこれらの飛び出しを防止できる機能を備えたカード等収納ケースを提供することにある。
【００１０】
本発明の更に他の目的は、飛び出し防止のための蓋部材の取り付けが容易なカード等収納ケースを提供することにある。
【００１１】
本発明の更に他の目的は、飛び出し防止のための蓋部材の取り外しが容易なカード等収納ケースを提供することにある。
【００１２】
本発明の他の目的は、蓋部材と枠体との係合を簡単に行え且つ簡単に解除できるカード等収納ケースを提供することにある。
【００１３】
本発明の他の目的は、蓋部材と枠体とを簡単な機構でしかもしっかりと係合させることができるカード等収納ケースを提供することにある。
【００１４】
本発明の他の目的は、蓋部材を枠体に取り付けた後にカードまたはカードパックが蓋部材と枠体との間に挟まれる位置まで移動するのを阻止することができるカード等収納ケースを提供することにある。
【００１５】
本発明の別の目的は、カードとカードパックの両方を収納状態で見ることができるカード等収納ケースを提供することにある。
【００１６】
本発明の別の目的は、バインダまたはブック状に構成したカード等収納ケースを提供することにある。
【００１７】
本発明の他の目的は、容易に開くことがないバインダまたはブック状に構成したカード等収納ケースを提供することにある。
【課題を解決するための手段】
【００１８】
本発明のカード等収納ケースは、カードゲーム等に用いる１枚以上のカードを収納するカード収納部を有する枠体を備えている。カード収納部は、一方向に向かって開口するカード挿入用開口部及び該カード挿入用開口部に連続して形成されて１枚以上のカードが収納されるカード収納室を有する。そして枠体は、カードが封入されたカードパックまたはカードが封入されていないカードパックが収納されるカードパック収納部をカード収納部に隣接して備えている。より具体的には、カード等収納ケースは、基板と、基板に対して設けられてカードゲーム等に用いる１枚以上のカードを収納するカード収納部を有する枠体とを備えている。基板は枠体を設けるのに適した強度を有していればよく、その材質及び構造は任意である。また基板と枠体とが一体に成型されていてもよいのは勿論である。カード収納部は、基板と対向する位置にカード挿入用開口部とこのカード挿入用開口部に連続して形成されて１枚以上のカードが収納されるカード収納室とを有する。カード収納部の数は任意であり、またカード収納部の深さは、収納可能なカードの枚数に応じて定めればよい。さらに１枚の基板に対して２以上の枠体を設けてもよいのは勿論である。
【００１９】
本発明のカード等収納ケースは、枠体に、カード収納部に隣接して複数枚のカードが封入されたカードパックまたは複数枚のカードが封入されていないカードパックが収納されるカードパック収納部を備えている。そしてカードパック収納部は、基板と対向する位置にカードパック挿入用開口部とこのカードパック挿入用開口部に連続して形成されてカードパックが収納されるカードパック収納室とを有する。カードパック収納部の深さは、収納可能なカードパックの数に応じて定めればよい。このように枠体にカード収納部とカードパック収納部とを隣接して設けると、カード収納部に収納するカードとカードパック収納部に収納するカードパックとを対応付けて一緒に収納することができる。そのため時間が経過しても、カードとカードパックとの対応関係を忘れることがないという利点が得られる。基板と枠体とから構成した本発明のカード等収納ケースを単位として、これを複数重ねたり、または横に並べて保存してもよく、その保存形態は任意である。
【００２０】
持ち運びを考慮して、次のようにカード等収納ケースを構成してもよい。２枚の基板と、２枚の基板を横に並んだ並列状態と互いに間隔をあけて対向する対向状態とにすることを許容するように２枚の基板を連結する基板連結機構と、２枚の基板に対してそれぞれ設けられ、カードゲーム等に用いる１枚以上のカードを収納するカード収納部を備えた２つの枠体とを備えた構造とする。この場合のカード収納部の構造は、前記と同様である。また枠体には、カード収納部に隣接してカードが封入されたカードパックまたはカードが封入されていないカードパックが収納されるカードパック収納部を設ける。このカードパック収納部の構造も前記と同様である。また２枚の基板の一方にのみ枠体を設けて、他方の基板には枠体を設けないようにしてもよい。このように２つの基板を基板連結機構により連結して２枚の基板を対向状態にできるようにすると、バインダまたはブック状にカード等収納ケースを構成することができる。
【００２１】
形態をバインダまたはブック状にする場合でも、またしない場合でも、枠体には、複数のカード収納部と複数のカードパック収納部とをそれぞれ一対一の関係で並ぶように設けるのが好ましい。ここで一対一の関係とは、明確に対応関係が判ればよく、例えば１つのカード収納部の上または下に対応する１つのカードパック収納部を並べる、または１つのカード収納部の横（右横または左横）に対応する１つのカードパック収納部を並べる、さらには１つのカードパック収納部の斜め下または斜め上に対応する１つのカードパック収納部を並べる等するのが好ましい。このようにするとカードとカードパックとの対応関係をより明確なものとすることができる。なお、複数のカード収納部を直線状のカード収納部列を形成するように配置し、複数のカードパック収納部を直線状のカード収納部列と並ぶ１本のカードパック収納部列を形成するように配置してもよい。このようにすると枠体に無駄なスペースを設ける必要がなくなって、枠体の寸法（カード等収納ケースの寸法）を極力小さいものとすることができる。なお複数のカード収納部及び複数のカードパック収納部を、互い違いに交互に並ぶように配置してもよい。このようにした場合でも、複数のカード収納部と複数のカードパック収納部とをそれぞれ一対一の関係で並ぶように設けることは可能である。
【００２２】
またカードは厚みが薄いため、カード収納室からカードを取り出し難い問題がある。そこでカード収納部のカード収納室を囲む内壁部に、カード挿入用開口部及びカード収納室とそれぞれ連続して形成された指挿入用凹部を設けるのが好ましい。このような指挿入用凹部を設ければ、厚みの薄いカードを容易にカード収納室から取り出すことができる。
【００２３】
カード収納室及びカードパック収納室の深さは任意である。収納容量を増大させるためには、カード収納室の深さ寸法を複数枚のカードを収納可能な寸法とし、カードパック収納室の深さ寸法を複数組のカードパックが収納可能な寸法にしてもよい。
【００２４】
また本発明のカード等収納ケースにおいて、カード収納室に収納されたカード及びカードパック収納室に収納されたカードパックが外部から見えるようにカード挿入用開口部及びカードパック挿入用開口部を塞ぐ蓋部材を設けると、収納後にカード及びカードパックを確認できる上、カード等収納ケースをどのような姿勢にしたとしても、収納したカード及びカードパックが枠体から飛び出すのを蓋部材が阻止することができる。したがってカード等収納ケースの取り扱いが容易になる。
【００２５】
なお蓋部材を設ける場合は、蓋部材を枠体に対して取り外し可能に取り付ける機構を設けるのが好ましい。蓋部材を枠体から取り外すことができると、カード及びカードパックの挿入及び取り出しの際に、蓋部材が邪魔になることがなく、スムーズにカード等の挿入及び取り出しを行うことができる。
【００２６】
蓋部材を枠体に対して取り外し可能に取り付ける機構は、任意である。例えば、蓋部材に係合部を設け、枠体に係合部と係合する被係合部を設ける。そして係合部を被係合部に係合させた状態で、蓋部材を枠体に取り付けるようにしてもよい。このような構造を採用すると、係合部と被係合部との係合作業及び係合解除作業だけで、蓋部材を枠体に取り付けることができ、また蓋部材を枠体から取り外すことができる。
【００２７】
なお係合部と被係合部とは、蓋部材を枠体と対向する位置から枠体に向かって近づけることにより、係合部と被係合部とが係合状態になる構造をそれぞれ有しているのが好ましい。このような構造にすると、蓋部材を枠体に直線的に近づけるまたは蓋部材を枠体から直線的に引き離すという作業により、蓋部材を枠体に装着しまた蓋部材を枠体から取りはずことができる。したがって蓋部材の枠体に対する取り付け作業が容易になる。
【００２８】
蓋部材の材質は任意である。例えば、蓋部材を枠体から取り外す際に、係合部と被係合部との係合状態を蓋部材を変形させることにより解除することを可能にする可撓性を有する材料で蓋部材を構成すると、係合部と被係合部の係合及び係合解除作業を簡単に行うことができる。
【００２９】
蓋部材の構造は任意である。例えば、枠体に取り付けられた状態で、カード挿入用開口部及びカードパック挿入用開口部と対向する対向壁部と、この対向壁部の周縁部と連続し且つ枠体の枠体周壁部の外周面と対向する蓋部材周壁部とを備えた蓋部材を、合成樹脂製の一体成型品として形成してもよい。このような一体成型品は、大量生産が可能で、コストの引き下げに寄与する。なお蓋部材を枠体に装着した後もカード及びカードパックを外部から見ることができるようにするためには、この一体成型品は、少なくともカード挿入用開口部及び前記カードパック挿入用開口部と対向する複数の部分を透明または半透明にする。
【００３０】
また蓋部材のカード挿入用開口部及びカードパック挿入用開口部と対向する複数の部分は、蓋部材が枠体に取り付けられた状態で、カード収納室またはカードパック収納室内に嵌り込むように膨出した形状を有しているのが好ましい。このような膨出形状を採用すると、カード等収納ケースの搬送中に、蓋部材を下にした状態でカード等収納ケースに振動が加わった場合でも、カード収納室に収納したカード及びカードパック収納室に収納したカードパックが、蓋部材と枠体との間に形成される隙間に入り込むのを阻止することができる。したがってどのような姿勢でもカード等収納ケースを搬送することができるようになり、カード等収納ケースの取り扱いが容易になる。
【００３１】
枠体の枠体周壁部の輪郭形状がほぼ矩形状を呈している場合には、蓋部材周壁部は、枠体を間に挟んで対向する２組の一対の周壁構成部によって構成されることになる。このような場合には、１組の一対の周壁構成部に、それぞれ前記係合部の一部を構成する１以上の係合用凸部を一体に設け、また枠体の枠体周壁部には、前記被係合部の一部を構成し且つ１以上の係合用凸部と係合する１以上の被係合用凹部を形成するのが好ましい。係合部と被係合部をこのように設けると、簡単な一体成型構造で蓋部材を形成した場合であっても、蓋部材を枠体に対して簡単に外れないように取り付けることができる。
【００３２】
なお１つの周壁構成部には周方向に距離を離して２つの係合用凸部を設け、１つの周壁構成部と対向する枠体周壁部の周壁部分には、２つの係合用凸部が嵌合する２つの被係合用凹部を周方向に距離を離して設けるのが好ましい。２つの係合用凸部と２つの被係合用凹部が離れた位置で係合すると、蓋部材が大きくなった場合でも、またカードパックの重さが重くなった場合でも、蓋部材を下にした状態でカード等収納ケースを持ち歩いたとしても、蓋部材は簡単に外れることがない。またこのような構造を採用すると、２つの係合用凸部の間にある周壁構成部を指で掴んで枠体から蓋部材を引き離す作業をすることにより、比較的容易に蓋部材を枠体から取りはずことができる。
【００３３】
なお係合用凸部の外面の形状は、その外面が枠体周壁部の外周面上をスライドしながら被係合用凹部内にスムーズに入り込むことを可能にする湾曲面を含むように構成されているのが好ましい。このような構成にすると、蓋部材を枠体に向かって直線的に近づける作業により蓋部材を枠体に装着する際の作業がより容易になる。
【００３４】
なお蓋部材は、蓋部材周壁部と連続し且つ基板に沿って外側に延びるフランジ部を一体に有しているのが好ましい。このようなフランジ部を設けると、蓋部材を枠体から取り外す際に、フランジ部に指先の爪を引っかけることができる。そのため、蓋部材を枠体から取り外す際には、フランジ部に爪を引っかけた状態で蓋部材を枠体から引き離すことができ、蓋部材の取り外し作業が容易になる。
【００３５】
なお前述のバインダまたはブック状にカード等収納ケースを構成する場合には、蓋部材が枠体に取り付けられた状態で２枚の基板を対向状態にしたときに、２つの枠体に取り付けられた蓋部材の対向壁部どうしが接触し且つ２枚の基板がほぼ並行に並ぶように、連結機構部を構成する。このようにすると、バインダまたはブック状にカード等収納ケースを閉じた状態にして保存する際に、厚み方向からカード等収納ケースに外力が加わったとしても、外力は接触した２つの蓋部材と２つの枠体にも分散することになり、連結機構部に加わる外力は小さくなる。その結果、連結機構部が破損しにくくなる。
【００３６】
また２枚の基板が対向状態にあるときに、２枚の基板が離れるのを選択的に阻止する基板分離阻止機構を更に備えているのが好ましい。このような基板分離阻止機構を設けると、２枚の基板が離れるのを有効に阻止することができ、バインダまたはブック状のカード等収納ケースの取り扱いが容易になる。
【００３７】
なお基板分離阻止機構は、２枚の基板の一方に一端が連結され且つ２枚の基板の他方の裏面側まで延びる長さを有するベルト部材と、ベルト部材の他端に設けられた結合部材と、２枚の基板の他方に設けられてベルト部材の結合部材と分離可能に結合する被結合部材とから構成することができる。この構成では、二枚の基板をベルト部材を介して結合するため、簡単な構成でしかも少ない部品点数で基板分離阻止機構を構成することができる。なお基板分離阻止機構は、結合部材及び被結合部材が、永久磁石の磁力を結合力として結合するように構成するのが好ましい。このようにすると結合部材及び被結合部材の構成が簡単になるだけでなく、基板及びベルト部材の構成が簡単になる。
【発明の効果】
【００３８】
本発明によれば、枠体にカード収納部とカードパック収納部とを隣接して設けるため、カード収納部に収納するカードとカードパック収納部に収納するカードパックとを対応付けて一緒に収納することができ、時間が経過しても、カードとカードパックとの対応関係を忘れることがないという利点が得られる。また併せてカード収集家の趣向を高めることができるという利点も得られる。
【発明を実施するための最良の形態】
【００３９】
以下図面を参照して本発明の実施の形態の一例を詳細に説明する。図１は、本発明をバインダまたはブック状のカード等収納ケース１に適用した一実施の形態を開いた状態にして分解した斜視図を示している。また図２はこのカード等収納ケース１を閉じた状態を示す斜視図である。更に図３は、このカード等収納ケース１を開いた状態にした正面図である。カード等収納ケース１のケース本体３は、２枚の基板５及び７と、２枚の基板５及び７が横に並んだ並列状態と互いに間隔をあけて対向する対向状態とにすることを許容するように２枚の基板５及び７を連結する基板連結機構９と、後に説明する基板分離阻止機構の一部を構成するベルト部材１１と、２つの枠体１３及び１５とから構成されている。本実施の形態では、２枚の基板５及び７と基板連結機構９とは、一体に構成されている。これらの部材は、いわゆるバインダまたはブックの表紙と同様の構造を有しており、基板連結機構９は、２本の折り目９Ａ及び９Ｂを介して２枚の基板５及び７と連結されている。
【００４０】
２つの枠体１３及び１５は、合成樹脂の一体成型品または紙基材の一体加工品により構成されている。なお２つの枠体１３及び１５の外表面を、手触り感と高級感を出すために、表面加工を施したり、多少毛足のある布状のシートで覆ったりしてもよいのは勿論である。枠体１３及び１５は、２枚の基板５及び７に対してそれぞれ接着剤を介して接合されている。枠体１３及び１５は、それぞれ１枚以上のカードを収納する３つのカード収納部１９と３つのカードパック収納部２１とを一体に有している。図３乃至図６に示すように、これらカード収納部１９及びカードパック収納部２１の底壁部１９Ｃ及び２１Ｃは、基板５及び７に接着剤で接合されている。カード収納部１９は、基板５または７と対向する位置にカード挿入用開口部１９Ａとこのカード挿入用開口部１９Ａに連続して形成されて１枚以上のカードＣが収納されるカード収納室１９Ｂとを有する。またカードパック収納部２１も、基板５または７と対向する位置にカードパック挿入用開口部２１Ａとこのカードパック挿入用開口部２１Ａに連続して形成されて１以上のカードパックＰが収納されるカードパック収納室２１Ｂとを有する。カードＣに比べて、カードパックＰの長さ及び幅寸法は長いため、カードパック収納部２１の各部の寸法は、カード収納部１９の各部の寸法よりも大きく設定されている。
【００４１】
枠体１３及び１５は、枠体周壁部１３Ａ及び１５Ａと天板壁部１３Ｂ及び１５Ｂとを備えている。枠体周壁部１３Ａ及び１５Ａは、その輪郭形状がほぼ矩形状を呈する構造を有している。そして枠体周壁部１３Ａ及び１５Ａは、枠体を間に挟んで対向する２組の一対の周壁構成部１３Ｃ及び１３Ｄ並びに１３Ｅ及び１３Ｆと１５Ｃ及び１５Ｄ並びに１５Ｅ及び１５Ｆとを備えている。そして図４〜図６に示すように、枠体周壁部１３Ａ及び１５Ａの縁部には、基板５及び７に接合される環状のフランジ部１３Ｇ及び１５Ｇが一体に設けられている。このフランジ部１３Ｇ及び１５Ｇも接着剤を用いて基板５及び７に接合されている。
【００４２】
枠体１３及び１５の一対の周壁構成部１３Ｅ及び１３Ｆ並びに１５Ｅ及び１５Ｆには、後述する被係合部の一部を構成し且つ後述する蓋部材に設けた２つの係合用凸部と係合する２つの被係合用凹部２３及び２３並びに２５及び２５が形成されている。これら２つの被係合用凹部２３及び２３並びに２５及び２５の開口部は、細長い楕円形状または両端に円弧を有する細長い長方形形状を有している。
【００４３】
それぞれ図１に示した位置関係では、３つのカード収納部１９と３つのカードパック収納部２１とが、一対一の関係で上下に並ぶように設けられている。また図１に示された関係では、３つのカード収納部１９及び３つのカードパック収納部２１が、それぞれ横に直線状に列を構成している。なお図１に示した状態を９０度回転させて見る場合には、３つのカード収納部１９と３つのカードパック収納部２１とは、一対一の関係で左右に並ぶように設けられており、３つのカード収納部１９及び３つのカードパック収納部２１は、それぞれ縦に直線状に列を構成することになる。
【００４４】
また本実施の形態では、カードＣの厚みが薄いため、カード収納部１９の深さが深くなると、カードＣをカード収納室１９Ｂから取り出し難くなる。そこでこの問題を解消するために、本実施の形態では、図５に示すように、カード収納部１９のカード収納室１９Ｂを囲む内壁部に、カード挿入用開口部１９Ａ及びカード収納室１９Ｂとそれぞれ連続して形成された指挿入用凹部２０を設けている。このような指挿入用凹部２０を設ければ、厚みの薄いカードを容易にカード収納室１９Ｂから取り出すことができる。
【００４５】
なお上記のように、カード収納室１９Ｂ及びカードパック収納室２１Ｂの深さは任意である。収納容量を増大させるためには、カード収納室１９Ｂの深さ寸法を複数枚のカードを収納可能な寸法とし、カードパック収納室２１Ｂの深さ寸法を複数組のカードパックが収納可能な寸法にしてもよい。
【００４６】
ベルト部材１１は、基板５に一端が連結され且つ基板７の裏面７ａ（枠体１５が設けられる面とは反対側の面）側まで延びる長さを有している。ベルト部材１１の他端には、永久磁石からなる結合部材２７が設けられている。また基板７の裏面７ａに近接した内部には、ベルト部材１１の結合部材２７と分離可能に結合する磁性体または永久磁石からなる被結合部材２９が埋設されている。本実施の形態では、結合部材２７と被結合部材２９とにより、永久磁石の磁力を結合力として結合する基板分離阻止機構が構成されている。
【００４７】
本実施の形態では、枠体１３及び１５に対して、合成樹脂により一体に成型された一体成型品の透明な蓋部材３１及び３３が嵌められる。なお蓋部材３１及び３３は半透明であってもよく、また一部が半透明または不透明でカード挿入用開口部１９Ａ及びカードパック挿入用開口部２１Ａと対向する一部が透明であってもよい。この蓋部材３１及び３３は、カード収納室１９Ｂに収納されたカードＣ及びカードパック収納室２１Ｂに収納されたカードパックＰが外部から見えるようにカード挿入用開口部１９Ａ及びカードパック挿入用開口部２１Ａを塞ぐ目的で設けられている。このような蓋部材３１及び３３を設けると、収納後にカードＣ及びカードパックＰを確認できる上、カード等収納ケース１をどのような姿勢にしたとしても、収納したカードＣ及びカードパックＰが枠体１３及び１５から飛び出すのを蓋部材３１及び３３によって阻止することができる。
【００４８】
蓋部材３１及び３３は、枠体１３及び１５に取り付けられた状態で、カード挿入用開口部１９Ａ及びカードパック挿入用開口部２１Ａと対向する対向壁部３１Ａ及び３３Ａと、この対向壁部３１Ａ及び３３Ａの周縁部と連続し且つ枠体１３及び１５の枠体周壁部１３Ａ及び１５Ａの外周面と対向する蓋部材周壁部３１Ｂ及び３３Ｂとを備えている。蓋部材３１及び３３のカード挿入用開口部１９Ａ及びカードパック挿入用開口部２１Ａと対向する複数の部分３２及び３４は、蓋部材３１及び３３が枠体１３及び１５に取り付けられた状態で、カード収納室１９Ｂまたはカードパック収納室内２１Ｂに嵌り込むように膨出した形状を有している。このような膨出形状を採用すると、カード等収納ケース１の搬送中に、蓋部材３１及び３３を下にした状態でカード等収納ケース１に振動が加わった場合でも、カード収納室１９Ｂに収納したカードＣ及びカードパック収納室２１Ｂに収納しカードパックＰが、蓋部材３１及び３３と枠体１３及び１５との間に形成される隙間に入り込むのを阻止することができる。したがってどのような姿勢でもカード等収納ケース１を搬送することができるようになる。
【００４９】
蓋部材３１及び３３は、枠体１３及び１５に対して取り外し可能に取り付けられる構造を有している。蓋部材３１及び３３を枠体１３及び１５に対して取り外し可能に取り付ける機構は、任意である。本実施の形態のように枠体１３及び１５の枠体周壁部１３Ａ及び１５Ａの輪郭形状がほぼ矩形状を呈しているので、蓋部材周壁部３１Ｂ及び３３Ｂは、枠体１３及び１５を間に挟んで対向する２組の一対の周壁構成部（３１Ｃ及び３１Ｄと３１Ｅ及び３１Ｆ；３３Ｃ及び３３Ｄと３３Ｅ及び３３Ｆ）によって構成されることになる。そして１組の一対の周壁構成部３１Ｅ及び３１Ｆ並びに３３Ｅ及び３３Ｆには、それぞれ係合部を構成する２つの係合用凸部３５及び３７が一体に設けられている。１つの周壁構成部に対して、２つの係合用凸部（３５及び３５並びに３７及び３７）が蓋部材周壁部（３１Ｂ及び３３Ｂ）の周方向に距離をあけて設けられている。そしてこれらの係合用凸部３５及び３７は、図４及び図６に示すように蓋部材周壁部３１Ｂ及び３３Ｂから内側に向かって突出しており、それぞれ枠体１３及び１５に設けた被係合用凹部２３及び２５と嵌合する。２つの係合用凸部（３５及び３７）と２つの被係合用凹部（２３及び２５）が離れた位置で係合すると、蓋部材３１及び３３が大きくなった場合でも、またカードパックＰの重さが重くなった場合に、蓋部材３１及び３３を下にした状態でカード等収納ケース１を持ち歩いたとしても、蓋部材３１及び３３は簡単に外れることがない。また２つの係合用凸部３５及び３５並びに３７及び３７の間にある周壁構成部を指で掴んで枠体１３及び１５から蓋部材３１及び３３を引き離す作業をすることにより、比較的に容易に蓋部材３１及び３３を枠体１３及び１５から取り外すことができる。係合用凸部３５及び３７の外面の形状は、その外面が枠体周壁部１３Ａ及び１５Ａの外周面上をスライドしながら被係合用凹部２３及び２５内にスムーズに入り込むことを可能にする湾曲面を含むように構成されている。
【００５０】
また蓋部材３１及び３３は、蓋部材周壁部３１Ｂ及び３３Ｂと連続し且つ基板５及び７に沿って外側に延びるフランジ部３１Ｇ及び３３Ｇを一体に有している。このようなフランジ部３１Ｇ及び３３Ｇを設けると、蓋部材３１及び３３を枠体１３及び１５から取り外す際に、フランジ部３１Ｇ及び３３Ｇに指先の爪を引っかけることができる。そのため、蓋部材３１及び３３を枠体１３及び１５から取り外す際には、フランジ部３１Ｇ及び３３Ｇに爪を引っかけた状態で蓋部材３１及び３３を枠体から引き離すことができる。
【００５１】
本実施の形態では、前述の係合機構を採用することにより、係合部（３５，３７）と被係合部（２３，２５）との係合作業及び係合解除作業だけで、蓋部材３１及び３３を枠体１３及び１５に取り付けることができ、また蓋部材を枠体から取り外すことができる。特に本実施の形態では、係合部（３５，３７）と被係合部（２３、２５）とは、蓋部材３１及び３３を枠体１３及び１５と対向する位置から枠体１３及び１５に向かって近づけることにより、係合部（３５，３７）と被係合部（２３、２５）とが係合状態になる構造を有しているので、蓋部材３１及び３３を枠体１３及び１５に直線的に近づけるまたは蓋部材３１及び３３を枠体１３および１５から直線的に引き離すという作業により、蓋部材３１及び３３を枠体１３及び１５に装着した蓋部材３１及び３３を枠体１３及び１５から取り外すことができる。したがって蓋部材の枠体に対する取り付け作業が容易になる。
【００５２】
なお本実施の形態では、蓋部材３１及び３３を枠体１３及び１５から取り外す際に、係合部（３５，３７）と被係合部（２３、２５）との係合状態を蓋部材３１及び３３を変形させることにより解除することを可能にするために、蓋部材３１及び３３を可撓性を有する合成樹脂材料（例えばポリプロピレン等）により一体に成型している。
【００５３】
また本実施の形態のバインダまたはブック状のカード等収納ケース１では、蓋部材３１及び３３が枠体１３及び１５に取り付けられた状態で２枚の基板５及び７を対向状態にしたときに、２つの枠体１３及び１５に取り付けられた蓋部材３１及び３３の対向壁部３１Ａ及び３３Ａどうしが接触し且つ２枚の基板５及び７がほぼ並行に並ぶように、連結機構部９を構成してある。したがって図２に示すように、バインダまたはブック状にカード等収納ケースを閉じた状態にして保存する際に、厚み方向からカード等収納ケース１に外力が加わったとしても、外力は接触した２つの蓋部材３１及び３３と２つの枠体１３及び１５にも分散することになり、連結機構部９に加わる外力は小さくなる。その結果、連結機構部９が破損しにくくなっている。
【００５４】
なお図１においては、カード収納部１９及びカードパック収納部２１のすべてにカードＣ及びカードパックＰが収納されていない。しかしこのカード等収納ケース１をカード商品の販売のためのカード商品セット（カード等収納ケースにカードとカードパックとが付いた状態で販売される商品）に使用する場合には、すべてのカード収納部１９及びカードパック収納部２１にカードＣとカードパックＰを収納してもよいのは勿論である。またその場合に、カード収納部１９及びカードパック収納部２１に、それぞれ複数枚のカードＣと複数のカードパックＰを収納してもよい。
【００５５】
カード商品セットの一部としてカード等収納ケースを利用する場合には、カード収納部１９に収納するカードＣとカードパック収納部２１に収納するカードパックＰとの間には、何らかの関係を持たせるのが好ましい。例えば、カード収納部１９に収納されたカードＣを、カードゲームに用いることが可能な複数枚のカードの中で存在率が最も小さいグループに属するカードにする。ここで存在率が最も小さいグループとは、カードゲームに使用可能な複数枚のカードが、それぞれ複数種類のグループに分けられる場合に、最も枚数が少ないカードによって構成されるグループのことである。存在率が最も小さいグループに属するカードは、ある意味で貴重なカードまたは重要なカードになる。言い換えると、そのようなカードは購買者にとって、最も関心の高いカードである。外部から見えるカードとしてこのようなカードを選択すると、購買者の注目を集めやすく、また購買者の購買意欲を高めることができる。
【００５６】
またカード収納部１９に収納されるカードＣを、カードパック収納部２１に収納されたカードパック内の複数枚のカードが属する種類と同じ種類に属するものにしてもよい。このようにするとカードパックＰに収納されているカードの内容（種類）を一部知ることができるので、購買者の期待を裏切ることがなく、しかも購買者の購買意欲も高くなる利点が得られる。またこの場合でも、カード収納部１９に収納されたカードを、カードパック収納部２１に収納されたカードパックＰ内の複数枚のカードが属する種類に分類される多数枚のカードの中で存在率が最も小さいグループに属するカードにすると、前述と同様に購買者の注目を集めやすくなり、また購買者の購買意欲を高めることができる。
【００５７】
上記実施の形態では、ベルト部材１１を設けているが、図７に示すように、ベルト部材を設けなくてもよいのは勿論である。この場合には、リング状のゴムベルト等を用いて、閉じた基板５及び７が離れないようにしてもよい。また２つの枠体１３及び１５にそれぞれ互いに引き合う関係の永久磁石を内蔵させ、これらの永久磁石の磁気吸引力により枠体１３及び１５が離れないようにしてもよい。図８（Ａ）乃至（Ｆ）は、図７に示したカード等収納ケースにおいて、蓋部材３１及び３３を設けないで使用する場合の平面図、正面図、底面図、左側面図、右側面図及び背面図である。また図９（Ａ）は、蓋部材を設けない場合において、２枚の基板を開いた状態のカード等収納ケースの斜視図であり、図９（Ｂ）は、一方の基板を他方の基板と対向する対向状態にする途中の状態を示す斜視図である。そして図１０は、蓋部材を用いないカード等収納ケースを閉じた状態を示す斜視図である。
【００５８】
また図１１に示すように、カード収納部１１９とカードパック収納部１２１とを交互に配置するようにしてもよい。この場合には、カード収納部１１９及びカードパック収納部１２１と対向する蓋部材１３１及び１３３の部分（窓部分）１３２及び１３４の形状もそれぞれ交互に異なる形状となる。なお図１１には、図１に示した実施の形態と同様の部分に、図１に示した実施の形態に付した符号の数に１００の数を加えた数の符号を付して説明を省略する。
【００５９】
図１２（Ａ）乃至（Ｆ）は、図１１に示したカード等収納ケースにおいて、蓋部材１３１及び１３３を設けないで使用するカード等収納ケースの平面図、正面図、底面図、左側面図、右側面図及び背面図である。また図１３（Ａ）は、蓋部材を設けない場合において、２枚の基板を開いた状態のカード等収納ケースの斜視図であり、図１３（Ｂ）は、一方の基板を他方の基板と対向する対向状態にする途中の状態を示す斜視図である。
【００６０】
また図１４（Ａ）乃至（Ｆ）は、図１１に示したカード等収納ケースの構造を応用したベルト部材を設けないで使用するカード等収納ケースの平面図、正面図、底面図、左側面図、右側面図及び背面図である。また図１５（Ａ）は、２枚の基板を開いた状態のこのカード等収納ケースの斜視図であり、図１５（Ｂ）は、一方の基板を他方の基板と対向する対向状態にする途中の状態を示す斜視図である。
【００６１】
また図１６に示すように、１つの枠体２１３及び２１５に設けるカード収納部２１９及びカードパック収納部２２１の数を異ならせてもよい。なお図１６には、図１に示した実施の形態と同様の部分に、図１に示した実施の形態に付した符号の数に２００の数を加えた数の符号を付して説明を省略する。
【００６２】
図１７（Ａ）乃至（Ｆ）は、図１１に示したカード等収納ケースの構造を応用したベルト部材を備えたカード等収納ケースの平面図、正面図、底面図、左側面図、右側面図及び背面図である。また図１８（Ａ）は、２枚の基板を開いた状態のこのカード等収納ケースの斜視図であり、図１８（Ｂ）は、一方の基板を他方の基板と対向する対向状態にする途中の状態を示す斜視図である。
【００６３】
さらに図１９に示すように、ブックタイプに構成する場合には、一方の基板３０５にのみ枠体３１３を取り付けるようにしても良いのは勿論である。なお図１９には、図１に示した実施の形態と同様の部分に、図１に示した実施の形態に付した符号の数に３００の数を加えた数の符号を付して説明を省略する。図２０（Ａ）乃至（Ｆ）は、図１９に示したカード等収納ケースの平面図、正面図、底面図、左側面図、右側面図及び背面図である。また図２１（Ａ）は、２枚の基板を開いた状態のこのカード等収納ケースの斜視図であり、図２１（Ｂ）は、一方の基板を他方の基板と対向する対向状態にする途中の状態を示す斜視図である。そして図２２（Ａ）及び（Ｂ）は、図２０のＡ−Ａ線断面図及びＢ−Ｂ線断面図である。そして図２３は、カード等収納ケースを閉じた状態を示す斜視図である。
【００６４】
また図２４に示すように、一枚の基板４０５上に１つの枠体４１３と蓋部材４３１を設けるユニットタイプのカード等収納ケースにも本発明を適用することができる。このようなユニットタイプのカード等収納ケースでは、本を開く動作をすることなく、収納されているカード及びカードパックを蓋部材４３１の外部から見ることができる。したがって多くのカード商品セットの中から所望のカード商品セットを選択する場合に、短い時間で購買者は所望のカード商品セットを見つけることができる。
【００６５】
またこの場合においても、図２５に示すように、カード収納部５１９とカードパック収納部５２１を交互に配置してもよい。図２６（Ａ）乃至（Ｆ）は、図２５に示したカード等収納ケースの平面図、正面図、底面図、左側面図、右側面図及び背面図である。また図２７（Ａ）は、このカード等収納ケースの斜視図であり、図２７（Ｂ）は、角度を変えて見たこのカード等収納ケースの斜視図である。
【００６６】
さらに図２８及び図２９に示すように、カード収納部６１９及び７１９並びにカードパック収納部６２１及び７２１の数を異ならせてもよい。なお図２８乃至図２９においても、図１に示した実施の形態と同様の部分には、図１に示した実施の形態に付した符号の数に６００または７００の数を加えた数の符号を付して説明を省略する。図３０（Ａ）乃至（Ｆ）は、図２８に示したカード等収納ケースの平面図、正面図、底面図、左側面図、右側面図及び背面図である。また図３１（Ａ）は、このカード等収納ケースの斜視図であり、図３１（Ｂ）は、角度を変えて見たこのカード等収納ケースの斜視図である。また図３２（Ａ）乃至（Ｆ）は、図２９に示したカード等収納ケースの平面図、正面図、底面図、左側面図、右側面図及び背面図である。また図３３（Ａ）は、このカード等収納ケースの斜視図であり、図３３（Ｂ）は、角度を変えて見たこのカード等収納ケースの斜視図である。
【００６７】
上記各実施の形態では、カード収納部に指挿入用凹部を設けているが、図３４及び図３５に示すカード等収納ケースのように、カード収納部に指挿入用凹部を設けなくてもよい。
【００６８】
図３４（Ａ）乃至（Ｆ）は、カード収納部に指挿入用凹部を設けていないカード等収納ケースの平面図、正面図、底面図、左側面図、右側面図及び背面図である。また図３５（Ａ）は、２枚の基板を開いた状態のこのカード等収納ケースの斜視図であり、図３５（Ｂ）は、一方の基板を他方の基板と対向する対向状態にする途中の状態を示す斜視図である。
【００６９】
また図３６は、本発明のカード等収納ケースの他の実施の形態の斜視図である。この実施の形態では、２枚の基板の縦方向の端部を基板連結機構によって連結している点で図１の実施の形態とは相違する。図３７（Ａ）乃至（Ｆ）は、図３６にカード等収納ケースの平面図、正面図、底面図、左側面図、右側面図及び背面図である。また図３８は、図３６のカード等収納ケースの分解斜視図である。
【００７０】
図３９は、一枚の基板の上に２つの枠体を設け、２つの枠体に蓋部材を装着した本発明の他の実施の形態の斜視図を示している。そして図４０（Ａ）乃至（Ｆ）は、図３９に示したカード等収納ケースの平面図、正面図、底面図、左側面図、右側面図及び背面図である。
【００７１】
また上記実施の形態のいくつかでは蓋部材を用いているが、カード等収納ケースを逆さにすることがなければ、蓋部材は必ずしも必要ない。
【図面の簡単な説明】
【００７２】
【図１】本発明をバインダまたはブック状のカード等収納ケースに適用した一実施の形態を開いた状態にして分解した斜視図である。
【図２】図１のカード等収納ケースを閉じた状態を示す斜視図である。
【図３】図１のカード等収納ケースを開いた状態にした正面図である。
【図４】（Ａ）は図３のＡ−Ａ線拡大断面図であり、（Ｂ）は図３のＢ−Ｂ線拡大断面図である。
【図５】図３のＣ−Ｃ拡大端面図である。
【図６】図３のＤ−Ｄ拡大端面図である。
【図７】図１に示したカード等収納ケースの機構を応用したベルト部材を設けないで使用するカード等収納ケースの形態を開いた状態にして分解した斜視図である。
【図８】（Ａ）乃至（Ｆ）は、図７に示したカード等収納ケースにおいて、蓋部材を設けないで使用する場合の平面図、正面図、底面図、左側面図、右側面図及び背面図である。
【図９】（Ａ）は、蓋部材を設けない場合において、２枚の基板を開いた状態のカード等収納ケースの斜視図であり、（Ｂ）は、一方の基板を他方の基板と対向する対向状態にする途中の状態を示す斜視図である。
【図１０】図８の蓋部材を用いないカード等収納ケースを閉じた状態を示す斜視図である。
【図１１】本発明のカード等収納ケースの他の実施の形態の斜視図である。
【図１２】（Ａ）乃至（Ｆ）は、図１１に示したカード等収納ケースにおいて、蓋部材を設けないで使用するカード等収納ケースの平面図、正面図、底面図、左側面図、右側面図及び背面図である。
【図１３】（Ａ）は、蓋部材を設けない場合において、２枚の基板を開いた状態のカード等収納ケースの斜視図であり、（Ｂ）は、一方の基板を他方の基板と対向する対向状態にする途中の状態を示す斜視図である。
【図１４】（Ａ）乃至（Ｆ）は、図１１に示したカード等収納ケースの機構を応用したベルト部材を設けないで使用するカード等収納ケースの平面図、正面図、底面図、左側面図、右側面図及び背面図である。
【図１５】（Ａ）は、２枚の基板を開いた状態のこのカード等収納ケースの斜視図であり、（Ｂ）は、一方の基板を他方の基板と対向する対向状態にする途中の状態を示す斜視図である。
【図１６】本発明のカード等収納ケースの他の実施の形態の構成を示す図である。
【図１７】（Ａ）乃至（Ｆ）は、図１１に示したカード等収納ケースの機構を応用したベルト部材を備えたカード等収納ケースの平面図、正面図、底面図、左側面図、右側面図及び背面図である。
【図１８】（Ａ）は、２枚の基板を開いた状態のこのカード等収納ケースの斜視図であり、（Ｂ）は、一方の基板を他方の基板と対向する対向状態にする途中の状態を示す斜視図である。
【図１９】本発明のカード等収納ケースの他の実施の形態の構成を示す図である。
【図２０】（Ａ）乃至（Ｆ）は、図１９に示したカード等収納ケースの平面図、正面図、底面図、左側面図、右側面図及び背面図である。
【図２１】（Ａ）は図１９の２枚の基板を開いた状態のこのカード等収納ケースの斜視図であり、（Ｂ）は、一方の基板を他方の基板と対向する対向状態にする途中の状態を示す斜視図である。
【図２２】（Ａ）及び（Ｂ）は、図２０のＡ−Ａ線断面図及びＢ−Ｂ線断面図である。
【図２３】カード等収納ケースを閉じた状態を示す斜視図である。
【図２４】一枚の基板上に１つの枠体と蓋部材を設けたユニットタイプのカード等収納ケースに本発明を適用した例を示す図である。
【図２５】カード収納部とカードパック収納部を交互に配置した本発明の他の実施の形態を示す図である。
【図２６】（Ａ）乃至（Ｆ）は、図２５に示したカード等収納ケースの平面図、正面図、底面図、左側面図、右側面図及び背面図である。
【図２７】（Ａ）は図２５のカード等収納ケースの斜視図であり、（Ｂ）は角度を変えて見たこのカード等収納ケースの斜視図である。
【図２８】カード収納部及びカードパック収納部の数を異ならせた例を示す図である。
【図２９】カード収納部及びカードパック収納部の数を異ならせた例を示す図である。
【図３０】（Ａ）乃至（Ｆ）は、図２８に示したカード等収納ケースの平面図、正面図、底面図、左側面図、右側面図及び背面図である。
【図３１】（Ａ）は図２８に示したカード等収納ケースの斜視図であり、（Ｂ）は角度を変えて見たこのカード等収納ケースの斜視図である。
【図３２】（Ａ）乃至（Ｆ）は、図２９に示したカード等収納ケースの平面図、正面図、底面図、左側面図、右側面図及び背面図である。
【図３３】（Ａ）は図２９に示したカード等収納ケースの斜視図であり、（Ｂ）は角度を変えて見たこのカード等収納ケースの斜視図である。
【図３４】（Ａ）乃至（Ｆ）は、カード収納部に指挿入用凹部を設けていないカード等収納ケースの平面図、正面図、底面図、左側面図、右側面図及び背面図である。
【図３５】（Ａ）は２枚の基板を開いた状態のこのカード等収納ケースの斜視図であり、（Ｂ）は一方の基板を他方の基板と対向する対向状態にする途中の状態を示す斜視図である。
【図３６】本発明のカード等収納ケース他の他の実施の形態の斜視図である。
【図３７】（Ａ）乃至（Ｆ）は、図３６にカード等収納ケースの平面図、正面図、底面図、左側面図、右側面図及び背面図である。
【図３８】図３６のカード等収納ケースの分解斜視図である。
【図３９】一枚の基板の上に２つの枠体を設け、２つの枠体に蓋部材を装着した別の本発明の他の実施の形態の斜視図を示している。
【図４０】（Ａ）乃至（Ｆ）は、図３９に示したカード等収納ケースの平面図、正面図、底面図、左側面図、右側面図及び背面図である。
【符号の説明】
【００７３】
１  カード等収納ケース
３  ケース本体
５，７  基板
９  基板連結機構
１１  ベルト部材
１３，１５  枠体
１９  カード収納部
２１  カードパック収納部
２３，２５  被係合用凹部（被係合部）
３１，３３  蓋部材
３５，３７  係合用凸部（係合部）
【手続補正２】
【補正対象書類名】図面
【補正対象項目名】図１
【補正方法】変更
【補正の内容】
【図１】
2006187329.tif 000043
【手続補正３】
【補正対象書類名】図面
【補正対象項目名】図５
【補正方法】変更
【補正の内容】
【図５】
2006187329.tif 000044
【手続補正４】
【補正対象書類名】図面
【補正対象項目名】図６
【補正方法】変更
【補正の内容】
【図６】
2006187329.tif 000045
【手続補正５】
【補正対象書類名】図面
【補正対象項目名】図７
【補正方法】変更
【補正の内容】
【図７】
2006187329.tif 000046
【手続補正６】
【補正対象書類名】図面
【補正対象項目名】図１９
【補正方法】変更
【補正の内容】
【図１９】
2006187329.tif 000047